(57)【特許請求の範囲】
【請求項１】
金属製エレメントの列を有するファスナーチェーンの電気めっき方法であって、
各金属製エレメントがめっき槽中のめっき液に接触した状態で、陰極（１１８、３１７）に電気的に接触した複数の導電性媒体（１１１、３１１）が流動可能に収容された一つ又は二つ以上の第一の絶縁性容器（１１０ａ、３１０ａ）内を該ファスナーチェーンが通過する工程を含み、
該ファスナーチェーンが第一の絶縁性容器（１１０ａ、３１０ａ）内を通過中に主として該ファスナーチェーンの第一の主表面側に露出した各金属製エレメントの表面を第一の絶縁性容器（１１０ａ、３１０ａ）内であって該ファスナーチェーンの第一の主表面側に配置された前記複数の導電性媒体（１１１、３１１）に接触させることにより給電し、
第一の陽極（１１９、３１６）を該ファスナーチェーンの第二の主表面側に露出した各金属製エレメントの表面と対向する位置関係で設置する、
電気めっき方法。
【請求項２】
前記ファスナーチェーンが第一の絶縁性容器（１１０ａ、３１０ａ）内を上昇しながら通過する請求項１に記載の電気めっき方法。
【請求項３】
前記ファスナーチェーンが第一の絶縁性容器（１１０ａ、３１０ａ）内を鉛直方向に上昇しながら通過する請求項２に記載の電気めっき方法。
【請求項４】
該ファスナーチェーンが第一の絶縁性容器（１１０ａ）内を通過中に、該ファスナーチェーンの第一の主表面側に露出した各金属製エレメントの表面のみを第一の絶縁性容器（１１０ａ）内の前記複数の導電性媒体（１１１）に接触させることにより給電する請求項１〜３のいずれか一項に記載の電気めっき方法。
【請求項５】
各金属製エレメントがめっき槽中のめっき液に接触した状態で、陰極（１１８、３１７）に電気的に接触した複数の導電性媒体（１１１、３１１）が流動可能に収容された一つ又は二つ以上の第二の絶縁性容器（１１０ｂ、３１０ｂ）内を該ファスナーチェーンが通過する工程を更に含み、
該ファスナーチェーンが第二の絶縁性容器（１１０ｂ、３１０ｂ）内を通過中に、主として該ファスナーチェーンの第二の主表面側に露出した各金属製エレメントの表面を第二の絶縁性容器（１１０ｂ、３１０ｂ）内であって該ファスナーチェーンの第二の主表面側に配置された前記複数の導電性媒体（１１１、３１１）に接触させることにより給電し、
第二の陽極（１１９、３１６）を該ファスナーチェーンの第一の主表面側に露出した各金属製エレメントの表面と対向する位置関係で設置する、
請求項１〜４の何れか一項に記載の電気めっき方法。
【請求項６】
該ファスナーチェーンが第二の絶縁性容器（１１０ｂ）内を通過中に、該ファスナーチェーンの第二の主表面側に露出した各金属製エレメントの表面のみを第二の絶縁性容器（１１０ｂ）内の前記複数の導電性媒体（１１１）に接触することにより給電する請求項５に記載の電気めっき方法。
【請求項７】
導電性媒体（１１１、３１１）が球状である請求項１〜６のいずれか一項に記載の電気めっき方法。
【請求項８】
第一の絶縁性容器（１１０ａ）は、前記ファスナーチェーンの走行経路を案内する通路（１１２）、及び複数の導電性媒体（１１１）を流動可能に収容する収容部（１１３）を内部に有し、
該通路（１１２）は前記ファスナーチェーンの入口（１１４）と、前記ファスナーチェーンの出口（１１５）と、前記ファスナーチェーンの第一の主表面側と対向する側の路面（１１２ａ）に前記複数の導電性媒体（１１１）へのアクセスを可能とする一つ又は二つ以上の開口（１１７）と、前記ファスナーチェーンの第二の主表面側と対向する側の路面（１１２ｂ）にめっき液が連通可能な一つ又は二つ以上の開口（１１６）とを有し、
前記複数の導電性媒体（１１１）へのアクセスを可能とする一つ又は二つ以上の開口（１１７）について、チェーン幅方向の長さをＷ2とし、導電性媒体（１１１）の直径をＤとすると、２Ｄ＜Ｗ2＜６Ｄの関係が成立する請求項７に記載の電気めっき方法。
【請求項９】
第一の絶縁性容器（１１０ａ、３１０ａ）に用いられる前記陰極（１１８、３１７）は、第一の絶縁性容器（１１０ａ、３１０ａ）の内側面に複数箇所設置される請求項１〜８の何れか一項に記載の電気めっき方法。
【請求項１０】
前記陰極（１１８、３１７）は、第一の絶縁性容器（１１０ａ、３１０ａ）の内側面のうち、ファスナーチェーンの通過方向の先頭側の内側面（１１３ａ）と、ファスナーチェーンの通過方向に平行な内側面（１１３ｂ）の後尾部とに少なくとも一箇所ずつ設置される請求項９に記載の電気めっき方法。
【請求項１１】
前記陰極（１１８、３１７）は、第一の絶縁性容器（１１０ａ、３１０ａ）の内側面のうち、ファスナーチェーンの通過方向に平行な内側面（１１３ｂ）の、ファスナーチェーンの通過方向中央部に少なくとも一箇所設置される請求項１０に記載の電気めっき方法。
【請求項１２】
第一の絶縁性容器（１１０ａ、３１０ａ）の内側面のうち、ファスナーチェーンの通過方向に平行な内側面（１１３ｂ）に設置される前記陰極（１１８、３１７）は、当該内側面と面一に設置される請求項１１に記載の電気めっき方法。
【請求項１３】
第一の絶縁性容器（１１０ａ、３１０ａ）の内側面のうち、ファスナーチェーンの通過方向に平行な内側面（１１３ｂ）に設置される前記陰極（１１８、３１７）は、当該内側面のファスナーチェーンの通過方向の長さ１００％に対して、ファスナーチェーンの通過方向の先頭側から３０〜７０％の範囲内に設置される請求項１１又は１２に記載の電気めっき方法。
【請求項１４】
前記陰極（１１８、３１７）は、ファスナーチェーンの通過方向に等間隔に複数設置される請求項９〜１３の何れか一項に記載の電気めっき方法。
【請求項１５】
複数設置される前記陰極（１１８、３１７）の電位は同一である請求項９〜１４の何れか一項に記載の電気めっき方法。
【請求項１６】
第一の絶縁性容器（１１０ａ、３１０ａ）内を通過中のエレメントのうち、電流密度の最も高いエレメントにおける電流密度をＤmax、第一の絶縁性容器（１１０ａ、３１０ａ）内を通過中のエレメントのうち、電流密度の最も低いエレメントにおける電流密度をＤminとすると、０．８≦Ｄmin／Ｄmaxが成立する請求項９〜１５の何れか一項に記載の電気めっき方法。
【請求項１７】
第二の絶縁性容器（１１０ｂ、３１０ｂ）に用いられる前記陰極（１１８、３１７）は、第二の絶縁性容器（１１０ｂ、３１０ｂ）の内側面に複数箇所設置される請求項５又は６に従属する請求項９〜１６の何れか一項に記載の電気めっき方法。
【請求項１８】
金属製エレメントの列を有するファスナーチェーンの電気めっき装置であって、
めっき液を収容可能なめっき槽（２０１、４０１）と、
めっき槽（２０１、４０１）中に配置された第一の陽極（１１９、３１６）と、
めっき槽（２０１、４０１）中に配置され、且つ、複数の導電性媒体（１１１、３１１）が陰極（１１８、３１７）に電気的に接触した状態で流動可能に収容された一つ又は二つ以上の第一の絶縁性容器（１１０ａ、３１０ａ）と、
を備え、
第一の絶縁性容器（１１０ａ、３１０ａ）は、主として該ファスナーチェーンの第一の主表面側に露出した各金属製エレメントの表面を第一の絶縁性容器（１１０ａ、３１０ａ）内であって該ファスナーチェーンの第一の主表面側に配置された前記複数の導電性媒体（１１１、３１１）に接触させながら、該ファスナーチェーンが第一の絶縁性容器（１１０ａ、３１０ａ）内を通過することが可能なように構成されており、
第一の陽極（１１９、３１６）は、該ファスナーチェーンが第一の絶縁性容器（１１０ａ、３１０ａ）を通過する際に、該ファスナーチェーンの第二の主表面側に露出した各金属製エレメントの表面と対向する位置関係で設置されている、
電気めっき装置。
【請求項１９】
第一の絶縁性容器（１１０ａ）は、前記ファスナーチェーンの走行経路を案内する通路（１１２）、及び複数の導電性媒体（１１１）を流動可能に収容する収容部（１１３）を内部に有し、
該通路（１１２）は前記ファスナーチェーンの入口（１１４）と、前記ファスナーチェーンの出口（１１５）と、前記ファスナーチェーンの第一の主表面側と対向する側の路面（１１２ａ）に前記複数の導電性媒体（１１１）へのアクセスを可能とする一つ又は二つ以上の開口（１１７）と、前記ファスナーチェーンの第二の主表面側と対向する側の路面（１１２ｂ）にめっき液が連通可能な一つ又は二つ以上の開口（１１６）とを有する、
請求項１８に記載の電気めっき装置。
【請求項２０】
前記通路（１１２）は入口（１１４）の上方に出口（１１５）を有する請求項１８又は１９に記載の電気めっき装置。
【請求項２１】
前記通路（１１２）は入口（１１４）の鉛直上方に出口（１１５）を有する請求項２０に記載の電気めっき装置。
【請求項２２】
めっき槽（２０１、４０１）中に配置された第二の陽極（１１９、３１６）と、
めっき槽（２０１、４０１）中に配置され、且つ、複数の導電性媒体（１１１、３１１）が陰極（１１８、３１７）に電気的に接触した状態で流動可能に収容された一つ又は二つ以上の第二の絶縁性容器（１１０ｂ、３１０ｂ）と、
を更に備え、
第二の絶縁性容器（１１０ｂ、３１０ｂ）は、主として該ファスナーチェーンの第二の主表面側に露出した各金属製エレメントの表面を第二の絶縁性容器（１１０ｂ、３１０ｂ）内であって該ファスナーチェーンの第二の主表面側に配置された前記複数の導電性媒体（１１１、３１１）に接触させながら、該ファスナーチェーンが第二の絶縁性容器（１１０ｂ、３１０ｂ）内を通過することが可能なように構成されており、
第二の陽極（１１９、３１６）は、該ファスナーチェーンが第二の絶縁性容器（１１０ｂ、３１０ｂ）を通過する際に、該ファスナーチェーンの第一の主表面側に露出した各金属製エレメントの表面と対向する位置関係で設置されている、
請求項１８〜２１のいずれか一項に記載の電気めっき装置。
【請求項２３】
第一の絶縁性容器（３１０ａ）は、該ファスナーチェーンが第一の主表面を下側に、第二の主表面を上側にして第一の絶縁性容器（３１０ａ）内を通過することが可能なように構成されており、
第一の絶縁性容器（３１０ａ）は、前記ファスナーチェーンの入口（３１４ａ）と、前記ファスナーチェーンの出口（３１５ａ）と、前記ファスナーチェーンの走行方向に平行な回転軸（３１３）とを有する回転バレルであり、
前記複数の導電性媒体（３１１）は該回転バレル内で、前記ファスナーチェーンの第二の主表面側に露出した各金属製エレメントの表面よりも、前記ファスナーチェーンの第一の主表面側に露出した各金属製エレメントの表面へ優先的に接触する高さまで充填されている、
請求項１８に記載の電気めっき装置。
【請求項２４】
第二の絶縁性容器（３１０ｂ）は、該ファスナーチェーンが第一の主表面を下側に、第二の主表面を上側にして第二の絶縁性容器（３１０ｂ）内を通過することが可能なように構成されており、
第二の絶縁性容器（３１０ｂ）は、前記ファスナーチェーンの入口（３１４ｂ）と、前記ファスナーチェーンの出口（３１５ｂ）と、前記ファスナーチェーンの走行方向に平行な回転軸（３１３）とを有する回転バレルであり、
該回転バレル内に収容された前記複数の導電性媒体（３１１）が、前記ファスナーチェーンの第一の主表面側に露出した各金属製エレメントの表面よりも、前記ファスナーチェーンの第二の主表面側に露出した各金属製エレメントの表面へ優先的に接触するように、該回転バレルは回転軸（３１３）に平行な内側面から内側に向かって突出した少なくとも一つのガイド部材（３１２）を有する、
請求項２２に記載の電気めっき装置。
【請求項２５】
第一の絶縁性容器（１１０ａ、３１０ａ）に用いられる前記陰極（１１８、３１７）は、第一の絶縁性容器（１１０ａ、３１０ａ）の内側面に複数箇所設置される請求項１８〜２４の何れか一項に記載の電気めっき装置。
【請求項２６】
前記陰極（１１８、３１７）は、第一の絶縁性容器（１１０ａ、３１０ａ）の内側面のうち、ファスナーチェーンの通過方向の先頭側の内側面（１１３ａ）と、ファスナーチェーンの通過方向に平行な内側面（１１３ｂ）の後尾部とに少なくとも一箇所ずつ設置される請求項２５に記載の電気めっき装置。
【請求項２７】
前記陰極（１１８、３１７）は、第一の絶縁性容器（１１０ａ、３１０ａ）の内側面のうち、ファスナーチェーンの通過方向に平行な内側面（１１３ｂ）の、ファスナーチェーンの通過方向中央部に少なくとも一箇所設置される請求項２６に記載の電気めっき装置。
【請求項２８】
第一の絶縁性容器（１１０ａ、３１０ａ）の内側面のうち、ファスナーチェーンの通過方向に平行な内側面（１１３ｂ）に設置される前記陰極（１１８、３１７）は、当該内側面と面一に設置される請求項２７に記載の電気めっき装置。
【請求項２９】
第一の絶縁性容器（１１０ａ、３１０ａ）の内側面のうち、ファスナーチェーンの通過方向に平行な内側面（１１３ｂ）に設置される前記陰極（１１８、３１７）は、当該内側面のファスナーチェーンの通過方向の長さ１００％に対して、ファスナーチェーンの通過方向の先頭側から３０〜７０％の範囲内に設置される請求項２７又は２８に記載の電気めっき装置。
【請求項３０】
前記陰極（１１８、３１７）は、ファスナーチェーンの通過方向に等間隔に複数設置される請求項２５〜２９の何れか一項に記載の電気めっき装置。
【請求項３１】
第二の絶縁性容器（１１０ｂ、３１０ｂ）に用いられる前記陰極（１１８、３１７）は、第二の絶縁性容器（１１０ｂ、３１０ｂ）の内側面に複数箇所設置される請求項２２に従属する請求項２５〜３０の何れか一項に記載の電気めっき装置。
【発明の詳細な説明】
【技術分野】
【０００１】
本発明は金属ファスナー用電気めっき方法に関する。また、本発明は金属ファスナー用電気めっき装置に関する。
【背景技術】
【０００２】
スライドファスナーの中には、エレメント列が金属でできているものがあり、このようなスライドファスナーは一般に“金属ファスナー”と総称される。金属ファスナーは銅合金やアルミニウム合金を使用することが多く、金属の色味や素材感を活かしたデザインに向いている。最近では、金属ファスナーの意匠に対するユーザからの要望が多様化しており、用途に応じて各種色調の提供が求められるようになってきている。【０００３】
金属製品の色調に変化を与える方法の一つとしては電気めっき法が挙げられる。電気めっき法においては、被めっき物をめっき液に浸漬し、通電することで被めっき物の表面にめっき被膜を形成する。【０００４】
小物製品の電気めっき法としては、バレル内に被めっき物を入れ、そのバレルをめっき液中に投入し、バレルを回転させながら電気めっきを行うバレルめっきが多用されている（例：特開２００４−１０００１１号公報、特開２００８−２０２０８６号公報、特許第３０８７５５４号公報、特許第５０６３７３３号公報）。【０００５】
また、長尺製品の電気めっき法としては、めっき槽内で長尺製品を連続的に走行させながら電気めっきする方法が知られている（例：特開２００４−７６０９２号公報、特開平５−２３９６９９号公報、特開平８−２０９３８３号公報）。【０００６】
しかし、上記に挙げた方法は金属ファスナーの特殊性が考慮されていない。金属ファスナーにおいては、隣接するエレメント同士が電気的に接続されていないため、上記のような方法では各エレメントに均一に電気めっきを行うのは困難である。このため、金属ファスナーをめっきするために、エレメント同士が予め電気的に接続した状態にファスナーチェーンを作製し、このファスナーチェーンに連続的に電気めっきする方法が提案されている。例えば、特許第２５１４７６０号公報では、ファスナーテープのエレメント取付部内に導電糸を編み込むことでエレメント同士が電気的に接続された状態のファスナーチェーンを作製することが提案されている。
【先行技術文献】
【特許文献】
【０００７】
【特許文献１】特開２００４−１０００１１号公報
【特許文献２】特開２００８−２０２０８６号公報
【特許文献３】特許第３０８７５５４号公報
【特許文献４】特許第５０６３７３３号公報
【特許文献５】特開２００４−７６０９２号公報
【特許文献６】特開平５−２３９６９９号公報
【特許文献７】特開平８−２０９３８３号公報
【特許文献８】特許第２５１４７６０号公報
【発明の概要】
【発明が解決しようとする課題】
【０００８】
特許第２５１４７６０号公報に記載の方法の場合、エレメント列全体を同時に通電し、連続的に電気めっきできるが、導電糸は高価であり、また、金属の導電糸を織り込むためにテープ作製や染色において導電糸の切断や金属の溶解など起こり易く、生産性が悪いという問題がある。導電糸を使用することなく金属ファスナーを電気めっきする方法としては、めっき槽中で円筒形の給電ロール表面に金属ファスナーの個々のエレメントを接触させながら金属ファスナーを搬送する連続めっき法が考えられる。しかしながら、このような方法では給電ロールとエレメントの接触が不均一となり易いため、めっき被膜の均一性を得るためには給電ロールとの接触を多数繰り返す必要がある。よって、めっき装置が大がかりとなり、装置価格も高額となる。【０００９】
そこで、本発明は、エレメント同士が予め電気的に接続されていなくても、金属ファスナーの個々のエレメントに対して簡便に高い均一性でめっきすることができる金属ファスナー用電気めっき方法及び装置を提供することを主たる課題とする。
【課題を解決するための手段】
【００１０】
金属ファスナーは、一対の長尺ファスナーテープが各ファスナーテープの対向し合う側縁に固定された金属製エレメントの列を噛み合わせてできるファスナーチェーンと呼ばれる中間製品を経て製造されるのが一般的である。このファスナーチェーンを所定の長さで切断し、スライダー、上止め、下止め等の各種部品を取り付けることで金属ファスナーが完成する。【００１１】
前記課題を解決するため、本発明者等が鋭意検討したところ、ファスナーチェーンをめっき液中で走行させている間に、ファスナーチェーンに固定されているそれぞれの金属製エレメントを流動可能に収容された複数の導電性媒体に接触させ、該導電性媒体を介して通電する手法が有効であることを見出した。そして、金属製エレメントを導電性媒体に接触させる際には、導電性媒体はファスナーチェーンの一方の主表面側に配置しつつ他の主表面側には導電性媒体を配置せず金属製エレメントとめっき液との接触を確保することで、他の主表面側にめっき被膜が効率的に成長することを見出した。すなわち、金属製エレメントはファスナーチェーンの片面毎にめっきすることで個々のエレメントへの給電を確実に行うことができることを見出した。【００１２】
上記知見を基礎として完成した本発明は以下のように例示される。
［１］
金属製エレメントの列を有するファスナーチェーンの電気めっき方法であって、
各金属製エレメントがめっき槽中のめっき液に接触した状態で、陰極（１１８、３１７）に電気的に接触した複数の導電性媒体（１１１、３１１）が流動可能に収容された一つ又は二つ以上の第一の絶縁性容器（１１０ａ、３１０ａ）内を該ファスナーチェーンが通過する工程を含み、
該ファスナーチェーンが第一の絶縁性容器（１１０ａ、３１０ａ）内を通過中に主として該ファスナーチェーンの第一の主表面側に露出した各金属製エレメントの表面を第一の絶縁性容器（１１０ａ、３１０ａ）内の前記複数の導電性媒体（１１１、３１１）に接触させることにより給電し、
第一の陽極（１１９、３１６）を該ファスナーチェーンの第二の主表面側に露出した各金属製エレメントの表面と対向する位置関係で設置する、
電気めっき方法。
［２］
前記ファスナーチェーンが第一の絶縁性容器（１１０ａ、３１０ａ）内を上昇しながら通過する［１］に記載の電気めっき方法。
［３］
前記ファスナーチェーンが第一の絶縁性容器（１１０ａ、３１０ａ）内を鉛直方向に上昇しながら通過する［２］に記載の電気めっき方法。
［４］
該ファスナーチェーンが第一の絶縁性容器（１１０ａ）内を通過中に、該ファスナーチェーンの第一の主表面側に露出した各金属製エレメントの表面のみを第一の絶縁性容器（１１０ａ）内の前記複数の導電性媒体（１１１）に接触させることにより給電する［１］〜［３］のいずれか一項に記載の電気めっき方法。
［５］
各金属製エレメントがめっき槽中のめっき液に接触した状態で、陰極（１１８、３１７）に電気的に接触した複数の導電性媒体（１１１、３１１）が流動可能に収容された一つ又は二つ以上の第二の絶縁性容器（１１０ｂ、３１０ｂ）内を該ファスナーチェーンが通過する工程を更に含み、
該ファスナーチェーンが第二の絶縁性容器（１１０ｂ、３１０ｂ）内を通過中に、主として該ファスナーチェーンの第二の主表面側に露出した各金属製エレメントの表面を第二の絶縁性容器（１１０ｂ、３１０ｂ）内の前記複数の導電性媒体（１１１、３１１）に接触させることにより給電し、
第二の陽極（１１９、３１６）を該ファスナーチェーンの第一の主表面側に露出した各金属製エレメントの表面と対向する位置関係で設置する、
［１］〜［４］の何れか一項に記載の電気めっき方法。
［６］
該ファスナーチェーンが第二の絶縁性容器（１１０ｂ）内を通過中に、該ファスナーチェーンの第二の主表面側に露出した各金属製エレメントの表面のみを第二の絶縁性容器（１１０ｂ）内の前記複数の導電性媒体（１１１）に接触することにより給電する［５］に記載の電気めっき方法。
［７］
導電性媒体（１１１、３１１）が球状である［１］〜［６］のいずれか一項に記載の電気めっき方法。
［８］
第一の絶縁性容器（１１０ａ）は、前記ファスナーチェーンの走行経路を案内する通路（１１２）、及び複数の導電性媒体（１１１）を流動可能に収容する収容部（１１３）を内部に有し、
該通路（１１２）は前記ファスナーチェーンの入口（１１４）と、前記ファスナーチェーンの出口（１１５）と、前記ファスナーチェーンの第一の主表面側と対向する側の路面（１１２ａ）に前記複数の導電性媒体（１１１）へのアクセスを可能とする一つ又は二つ以上の開口（１１７）と、前記ファスナーチェーンの第二の主表面側と対向する側の路面（１１２ｂ）にめっき液が連通可能な一つ又は二つ以上の開口（１１６）とを有し、
前記複数の導電性媒体（１１１）へのアクセスを可能とする一つ又は二つ以上の開口（１１７）について、チェーン幅方向の長さをＷ2とし、導電性媒体（１１１）の直径をＤとすると、２Ｄ＜Ｗ2＜６Ｄの関係が成立する［７］に記載の電気めっき方法。
［９］
第一の絶縁性容器（１１０ａ、３１０ａ）に用いられる前記陰極（１１８、３１７）は、第一の絶縁性容器（１１０ａ、３１０ａ）の内側面に複数箇所設置される［１］〜［８］の何れか一項に記載の電気めっき方法。
［１０］
前記陰極（１１８、３１７）は、第一の絶縁性容器（１１０ａ、３１０ａ）の内側面のうち、ファスナーチェーンの通過方向の先頭側の内側面（１１３ａ）と、ファスナーチェーンの通過方向に平行な内側面（１１３ｂ）の後尾部とに少なくとも一箇所ずつ設置される［９］に記載の電気めっき方法。
［１１］
前記陰極（１１８、３１７）は、第一の絶縁性容器（１１０ａ、３１０ａ）の内側面のうち、ファスナーチェーンの通過方向に平行な内側面（１１３ｂ）の、ファスナーチェーンの通過方向中央部に少なくとも一箇所設置される［１０］に記載の電気めっき方法。
［１２］
第一の絶縁性容器（１１０ａ、３１０ａ）の内側面のうち、ファスナーチェーンの通過方向に平行な内側面（１１３ｂ）に設置される前記陰極（１１８、３１７）は、当該内側面と面一に設置される［１１］に記載の電気めっき方法。
［１３］
第一の絶縁性容器（１１０ａ、３１０ａ）の内側面のうち、ファスナーチェーンの通過方向に平行な内側面（１１３ｂ）に設置される前記陰極（１１８、３１７）は、当該内側面のファスナーチェーンの通過方向の長さ１００％に対して、ファスナーチェーンの通過方向の先頭側から３０〜７０％の範囲内に設置される［１１］又は［１２］に記載の電気めっき方法。
［１４］
前記陰極（１１８、３１７）は、ファスナーチェーンの通過方向に等間隔に複数設置される［９］〜［１３］の何れか一項に記載の電気めっき方法。
［１５］
複数設置される前記陰極（１１８、３１７）の電位は同一である［９］〜［１４］の何れか一項に記載の電気めっき方法。
［１６］
第一の絶縁性容器（１１０ａ、３１０ａ）内を通過中のエレメントのうち、電流密度の最も高いエレメントにおける電流密度をＤmax、第一の絶縁性容器（１１０ａ、３１０ａ）内を通過中のエレメントのうち、電流密度の最も低いエレメントにおける電流密度をＤminとすると、０．８≦Ｄmin／Ｄmaxが成立する［９］〜［１５］の何れか一項に記載の電気めっき方法。
［１７］
第二の絶縁性容器（１１０ｂ、３１０ｂ）に用いられる前記陰極（１１８、３１７）は、第二の絶縁性容器（１１０ｂ、３１０ｂ）の内側面に複数箇所設置される［５］又は［６］に従属する［９］〜［１６］の何れか一項に記載の電気めっき方法。
［１８］
金属製エレメントの列を有するファスナーチェーンの電気めっき装置であって、
めっき液を収容可能なめっき槽（２０１、４０１）と、
めっき槽（２０１、４０１）中に配置された第一の陽極（１１９、３１６）と、
めっき槽（２０１、４０１）中に配置され、且つ、複数の導電性媒体（１１１、３１１）が陰極（１１８、３１７）に電気的に接触した状態で流動可能に収容された一つ又は二つ以上の第一の絶縁性容器（１１０ａ、３１０ａ）と、
を備え、
第一の絶縁性容器（１１０ａ、３１０ａ）は、主として該ファスナーチェーンの第一の主表面側に露出した各金属製エレメントの表面を第一の絶縁性容器（１１０ａ、３１０ａ）内の前記複数の導電性媒体（１１１、３１１）に接触させながら、該ファスナーチェーンが第一の絶縁性容器（１１０ａ、３１０ａ）内を通過することが可能なように構成されており、
第一の陽極（１１９、３１６）は、該ファスナーチェーンが第一の絶縁性容器（１１０ａ、３１０ａ）を通過する際に、該ファスナーチェーンの第二の主表面側に露出した各金属製エレメントの表面と対向する位置関係で設置されている、
電気めっき装置。
［１９］
第一の絶縁性容器（１１０ａ）は、前記ファスナーチェーンの走行経路を案内する通路（１１２）、及び複数の導電性媒体（１１１）を流動可能に収容する収容部（１１３）を内部に有し、
該通路（１１２）は前記ファスナーチェーンの入口（１１４）と、前記ファスナーチェーンの出口（１１５）と、前記ファスナーチェーンの第一の主表面側と対向する側の路面（１１２ａ）に前記複数の導電性媒体（１１１）へのアクセスを可能とする一つ又は二つ以上の開口（１１７）と、前記ファスナーチェーンの第二の主表面側と対向する側の路面（１１２ｂ）にめっき液が連通可能な一つ又は二つ以上の開口（１１６）とを有する、
［１８］に記載の電気めっき装置。
［２０］
前記通路（１１２）は入口（１１４）の上方に出口（１１５）を有する［１８］又は［１９］に記載の電気めっき装置。
［２１］
前記通路（１１２）は入口（１１４）の鉛直上方に出口（１１５）を有する［２０］に記載の電気めっき装置。
［２２］
めっき槽（２０１、４０１）中に配置された第二の陽極（１１９、３１６）と、
めっき槽（２０１、４０１）中に配置され、且つ、複数の導電性媒体（１１１、３１１）が陰極（１１８、３１７）に電気的に接触した状態で流動可能に収容された一つ又は二つ以上の第二の絶縁性容器（１１０ｂ、３１０ｂ）と、
を更に備え、
第二の絶縁性容器（１１０ｂ、３１０ｂ）は、主として該ファスナーチェーンの第二の主表面側に露出した各金属製エレメントの表面を第二の絶縁性容器（１１０ｂ、３１０ｂ）内の前記複数の導電性媒体（１１１、３１１）に接触させながら、該ファスナーチェーンが第二の絶縁性容器（１１０ｂ、３１０ｂ）内を通過することが可能なように構成されており、
第二の陽極（１１９、３１６）は、該ファスナーチェーンが第二の絶縁性容器（１１０ｂ、３１０ｂ）を通過する際に、該ファスナーチェーンの第一の主表面側に露出した各金属製エレメントの表面と対向する位置関係で設置されている、
［１８］〜［２１］のいずれか一項に記載の電気めっき装置。
［２３］
第一の絶縁性容器（３１０ａ）は、該ファスナーチェーンが第一の主表面を下側に、第二の主表面を上側にして第一の絶縁性容器（３１０ａ）内を通過することが可能なように構成されており、
第一の絶縁性容器（３１０ａ）は、前記ファスナーチェーンの入口（３１４ａ）と、前記ファスナーチェーンの出口（３１５ａ）と、前記ファスナーチェーンの走行方向に平行な回転軸（３１３）とを有する回転バレルであり、
前記複数の導電性媒体（３１１）は該回転バレル内で、前記ファスナーチェーンの第二の主表面側に露出した各金属製エレメントの表面よりも、前記ファスナーチェーンの第一の主表面側に露出した各金属製エレメントの表面へ優先的に接触する高さまで充填されている、
［１８］に記載の電気めっき装置。
［２４］
第二の絶縁性容器（３１０ｂ）は、該ファスナーチェーンが第一の主表面を下側に、第二の主表面を上側にして第二の絶縁性容器（３１０ｂ）内を通過することが可能なように構成されており、
第二の絶縁性容器（３１０ｂ）は、前記ファスナーチェーンの入口（３１４ｂ）と、前記ファスナーチェーンの出口（３１５ｂ）と、前記ファスナーチェーンの走行方向に平行な回転軸（３１３）とを有する回転バレルであり、
該回転バレル内に収容された前記複数の導電性媒体（３１１）が、前記ファスナーチェーンの第一の主表面側に露出した各金属製エレメントの表面よりも、前記ファスナーチェーンの第二の主表面側に露出した各金属製エレメントの表面へ優先的に接触するように、該回転バレルは回転軸（３１３）に平行な内側面から内側に向かって突出した少なくとも一つのガイド部材（３１２）を有する、
［２２］に記載の電気めっき装置。
［２５］
第一の絶縁性容器（１１０ａ、３１０ａ）に用いられる前記陰極（１１８、３１７）は、第一の絶縁性容器（１１０ａ、３１０ａ）の内側面に複数箇所設置される［１８］〜［２４］の何れか一項に記載の電気めっき装置。
［２６］
前記陰極（１１８、３１７）は、第一の絶縁性容器（１１０ａ、３１０ａ）の内側面のうち、ファスナーチェーンの通過方向の先頭側の内側面（１１３ａ）と、ファスナーチェーンの通過方向に平行な内側面（１１３ｂ）の後尾部とに少なくとも一箇所ずつ設置される［２５］に記載の電気めっき装置。
［２７］
前記陰極（１１８、３１７）は、第一の絶縁性容器（１１０ａ、３１０ａ）の内側面のうち、ファスナーチェーンの通過方向に平行な内側面（１１３ｂ）の、ファスナーチェーンの通過方向中央部に少なくとも一箇所設置される［２６］に記載の電気めっき装置。
［２８］
第一の絶縁性容器（１１０ａ、３１０ａ）の内側面のうち、ファスナーチェーンの通過方向に平行な内側面（１１３ｂ）に設置される前記陰極（１１８、３１７）は、当該内側面と面一に設置される［２７］に記載の電気めっき装置。
［２９］
第一の絶縁性容器（１１０ａ、３１０ａ）の内側面のうち、ファスナーチェーンの通過方向に平行な内側面（１１３ｂ）に設置される前記陰極（１１８、３１７）は、当該内側面のファスナーチェーンの通過方向の長さ１００％に対して、ファスナーチェーンの通過方向の先頭側から３０〜７０％の範囲内に設置される［２７］又は［２８］に記載の電気めっき装置。
［３０］
前記陰極（１１８、３１７）は、ファスナーチェーンの通過方向に等間隔に複数設置される［２５］〜［２９］の何れか一項に記載の電気めっき装置。
［３１］
第二の絶縁性容器（１１０ｂ、３１０ｂ）に用いられる前記陰極（１１８、３１７）は、第二の絶縁性容器（１１０ｂ、３１０ｂ）の内側面に複数箇所設置される［２２］に従属する［２５］〜［３０］の何れか一項に記載の電気めっき装置。
【発明の効果】
【００１３】
本発明によれば、エレメント同士が予め電気的に接続した状態にあるファスナーチェーンでなくても、ファスナーチェーンを電気めっきする際に個々のエレメントがめっき液と十分に接触した状態で確実に給電を受けるようになるため、短時間で均一性の高いめっき被膜を形成することができる。また、めっき装置を小型化することが可能となるので、設置費用や維持費用を抑えることが可能となる。導電性媒体にもめっきが付くことがあるが、導電性媒体は流動可能に収容されており、めっき装置から個別に取り出すことができるため、装置の保全が容易に行えるという利点も得られる。よって、本発明はユーザに対して幅広い色調のファスナー商品を低価格で提案可能とすることに貢献する。
【図面の簡単な説明】
【００１４】
【図１】金属ファスナーの模式的な正面図である。
【図２】固定セル方式のめっき装置の絶縁性容器内をファスナーチェーンが直線的に通過する場合における、絶縁性容器をファスナーチェーンの搬送方向に向き合う方向から見たときの断面図である。
【図３】図２に示す絶縁性容器の模式的なＡＡ’線断面図である。
【図４】図２に示す絶縁性容器から導電性媒体及びファスナーチェーンを取り除いたときの模式的なＢＢ’線断面図である。
【図５】固定セル方式の電気めっき装置の第一の全体構成例を示す。
【図６】固定セル方式の電気めっき装置の第二の全体構成例を示す。
【図７】固定セル方式の電気めっき装置の第三の全体構成例を示す。
【図８】固定セル方式の電気めっき装置の第四の全体構成例を示す。
【図９】固定セル方式の電気めっき装置の第五の全体構成例を示す。
【図１０】固定セル方式の電気めっき装置の第六の全体構成例を示す。
【図１１】回転バレル方式の電気めっき装置においてファスナーチェーンの上面に優先的にめっきされる原理を説明する模式図である。
【図１２】回転バレル方式の電気めっき装置においてファスナーチェーンの下面に優先的にめっきされる原理を説明する模式図である。
【図１３】回転バレル方式の電気めっき装置の全体構成例を示す。
【図１４】比較例に係る電気めっき装置の全体構成を示す。
【図１５】絶縁性容器の内側面のうち、搬送方向の先頭側の内側面に陰極が一つ設置された場合のエレメントに流れる電流の搬送方向の変化を模式的に示す。
【図１６】絶縁性容器の内側面のうち、ファスナーチェーンの通過方向の先頭側の内側面と、ファスナーチェーンの通過方向に平行な方向の内側面の後尾部とに陰極が一箇所ずつ設置される場合のエレメントに流れる電流の搬送方向の変化を模式的に示す。
【図１７】絶縁性容器の内側面のうち、ファスナーチェーンの通過方向の先頭側の内側面、並びに、ファスナーチェーンの通過方向に平行な方向の内側面の中央部及び後尾部に陰極が一箇所ずつ設置される場合のエレメントに流れる電流の搬送方向の変化を模式的に示す。
【図１８】図１７の実施形態における陰極の配置を示す平面図である。
【発明を実施するための形態】
【００１５】
以下、本発明の実施形態について図面を参照しながら詳細に説明する。
【００１６】
（１．金属ファスナー）
図１に例示的に金属ファスナーの模式的な正面図を示す。図１に示すように金属ファスナーは、内側縁側に芯部２が形成された一対のファスナーテープ１とファスナーテープ１の芯部２に所定の間隔をおいて加締め固定（装着）された金属製エレメント３の列と、金属製エレメント３の列の上端及び下端でファスナーテープ１の芯部２に加締め固定された上止具４及び下止具５と、対向する一対のエレメント３の列間に配され、一対の金属製エレメント３の噛合及び開離を行うための上下方向に摺動自在なスライダー６を備える。一本のファスナーテープ１の芯部２にエレメント３の列が装着された状態のものをファスナーストリンガーといい、一対のファスナーテープ１の芯部２に装着されたエレメント３の列が噛合状態となっているものをファスナーチェーン７という。なお、下止具５は、蝶棒、箱棒、箱体からなる開離嵌挿具とし、スライダーの開離操作にて一対のファスナーチェーンを分離できるようにしたものであっても構わない。図示しないその他の実施形態も可能である。
【００１７】
金属製エレメント３の材料には特に制限はないが、銅（純銅）、銅合金（丹銅、真鍮、洋白など）やアルミニウム合金（Ａｌ−Ｃｕ系合金、Ａｌ−Ｍｎ系合金、Ａｌ−Ｓｉ系合金、Ａｌ−Ｍｇ系合金、Ａｌ−Ｍｇ−Ｓｉ系合金、Ａｌ−Ｚｎ−Ｍｇ系合金、Ａｌ−Ｚｎ−Ｍｇ−Ｃｕ系合金など）、亜鉛、亜鉛合金、鉄、鉄合金等を用いることができる。
【００１８】
金属製エレメント３に対して各種の電気めっきを行うことができる。めっきは所望の色調を得るという意匠目的の他、防錆効果、ひび割れ防止効果、摺動抵抗低減効果を狙って行うことができる。めっきの種類に特に制限はなく、単一金属めっき、合金めっき、複合めっきの何れでもよいが、例示的にはＳｎめっき、Ｃｕ−Ｓｎ合金めっき、Ｃｕ−Ｓｎ−Ｚｎ合金めっき、Ｓｎ−Ｃｏ合金めっき、Ｒｈめっき、Ｐｄめっきが挙げられる。また、Ｚｎめっき（ジンケート処理を含む）、Ｃｕめっき（青化銅めっき、ピロリン酸銅めっき、硫酸銅めっきを含む）、Ｃｕ−Ｚｎ合金めっき（真鍮めっきを含む）、Ｎｉめっき、Ｒｕめっき、Ａｕめっき、Ｃｏめっき、Ｃｒめっき（クロメート処理を含む）、Ｃｒ−Ｍｏ合金めっきなども挙げられる。めっきの種類はこれらに限られるものではなく、目的に応じてその他の各種金属めっきを行うことができる。
【００１９】
金属ファスナーは各種の物品に取着することができ、特に開閉具として機能する。スライドファスナーが取着される物品としては、特に制限はないが、例えば衣料品、鞄類、靴類及び雑貨品といった日用品の他、貯水タンク、漁網及び宇宙服といった産業用品が挙げられる。
【００２０】
（２．めっき方法）
本発明においては、金属ファスナー用めっき方法として、金属製エレメントの列を有するファスナーチェーンを搬送しながら連続的に電気めっきする方法を提案する。
【００２１】
本発明に係る電気めっき方法の一実施形態においては、ファスナーチェーンの一方の主表面側に露出したエレメント列の表面を主としてめっきすることを目的として、各金属製エレメントがめっき槽中のめっき液に接触した状態で、陰極に電気的に接触した複数の導電性媒体が流動可能に収容された一つ又は二つ以上の第一の絶縁性容器内を該ファスナーチェーンが通過する工程を含む。
【００２２】
本発明に係る電気めっき方法の別の一実施形態においては、ファスナーチェーンの他方の主表面側に露出したエレメント列の表面を主としてめっきすることを目的として、各金属製エレメントがめっき槽中のめっき液に接触した状態で、陰極に電気的に接触した複数の導電性媒体が流動可能に収容された一つ又は二つ以上の第二の絶縁性容器内を該ファスナーチェーンが通過する工程を更に含む。
【００２３】
これらの両工程を経ることでファスナーチェーンの両主表面側に露出したエレメント列の表面に対してめっきが可能である。また、異なるめっき液を使用して両工程を経ることで、ファスナーチェーンの一方の主表面と他方の主表面に対して異なるめっきが可能である。
【００２４】
めっき液の組成、温度などの条件は各エレメントに析出させたい金属成分の種類によって当業者が適宜設定すればよく、特に制限されるものではない。
【００２５】
導電性媒体の材料としては特に制限はないが、金属が一般的である。金属の中でも、耐腐食性が高い、耐磨耗性が高いという理由により、鉄、ステンレス、銅、真鍮が好ましく、鉄がより好ましい。但し、鉄製の導電性媒体を使用する場合、導電性媒体がめっき液に接触すると密着性の悪い置換めっき被膜が鉄球の表面に形成される。このめっき被膜はファスナーチェーンを電気めっき中に導電性媒体から剥がれて細かな金属片となってめっき液中に浮遊する。金属片がめっき液中に浮遊するとファスナーテープに付着したりするので浮遊は防止することが好ましい。そのため、鉄製の導電性媒体を使用する場合は、置換めっきされるのを防ぐために予め導電性媒体をピロリン酸銅めっき、硫酸銅めっき、ニッケルめっき、又は錫ニッケル合金めっきをしておくことが好ましい。なお、導電性媒体に青化銅めっきを行うことでも置換めっきを防止することはできるが、導電性媒体表面の凹凸が比較的大きくなり導電性媒体の回転が阻害されるため、ピロリン酸銅めっき、硫酸銅めっき、ニッケルめっき、又は錫ニッケル合金めっきが好ましい。
【００２６】
第一の絶縁性容器内及び第二の絶縁性容器の材質としては、耐薬品性、耐磨耗性、耐熱性の観点から、高密度ポリエチレン（ＨＤＰＥ）、耐熱性硬質ポリ塩化ビニル、ポリアセタール（ＰＯＭ）が好ましく、高密度ポリエチレン（ＨＤＰＥ）がより好ましい。
【００２７】
第一の絶縁性容器内及び第二の絶縁性容器内に流動可能に収容された複数の導電性媒体が陰極に電気的に接触していることにより、陰極から各エレメントに導電性媒体を介して給電を行うことができる。陰極の設置場所には特に制限はないが、各絶縁性容器内で各導電性媒体との電気的な接触が途切れない位置に設置することが望まれる。
【００２８】
例えば、後述するような固定セル方式の電気めっき装置を使用する場合に、ファスナーチェーンが第一の絶縁性容器内及び第二の絶縁性容器内を水平方向に通過すると、導電性媒体は搬送方向の先頭に移動して集積しやすく、ファスナーチェーンが第一の絶縁性容器内及び第二の絶縁性容器内を鉛直上方に通過すると、導電性媒体は下方集積しやすい。
【００２９】
そこで、ファスナーチェーンが水平方向に通過する場合は、絶縁性容器の内面のうち、導電性媒体が集積しやすい搬送方向の先頭側の内側面には少なくとも陰極を設置することが好ましく、ファスナーチェーンが鉛直上方に通過する場合は、絶縁性容器の内側面のうち、導電性媒体が集積しやすい下方側の内側面には少なくとも陰極を設置することが好ましい。陰極の形状に特に制限はないが、例えば板状とすることができる。
【００３０】
ファスナーチェーンは水平方向と鉛直方向の中間の斜め方向にも走行し得るが、この場合は傾斜、走行速度、導電性媒体の数や大きさによって導電性媒体の集積しやすい場所が変化するため、実際の条件に応じて陰極を設置する場所を調整すればよい。
【００３１】
第一の絶縁性容器及び第二の絶縁性容器内に収容された複数の導電性媒体を流れる電流の大きさは陰極からの距離が大きくなるほど小さくなる。従って、導電性媒体を介して各エレメントを流れる電流についても、陰極から離れるほど小さくなる。例えば、絶縁性容器の内側面のうち、搬送方向の先頭側の内側面に陰極が一つ設置された場合、図１５に模式的に示すように、先頭側に位置するエレメントの電流が最も大きく、後尾側に向かって電流が小さくなる。本発明者の検討結果によれば、陰極を流れる電流がＩ0のときに電流が０となる陰極からの搬送方向の距離（換言すれば、エレメントがめっきされる陰極からの搬送方向の最大距離）をＤ0とし、陰極を流れる電流がＩ1のときに電流が０となる陰極からの搬送方向の距離をＤ1とすると、両者の間には以下の実験式が成立する。
【数１】
0006670951.tif 000002
【００３２】
このように、陰極からの距離が大きくなるとエレメントを流れる電流が小さくなり、低電流部においてはめっき効率が低下する。めっき効率を高くするためには、低電流部をなくすことが望ましい。先頭側の電流をより大きくすることで後尾側の電流を大きくすることも考えられるが、そうすると先頭側の電流が更に大きくなり、焼けめっきが生じるおそれがある。そこで、第一の絶縁性容器（第二の絶縁性容器）に用いられる陰極は、第一の絶縁性容器（第二の絶縁性容器）の内側面に複数箇所設置することで、第一の絶縁性容器（第二の絶縁性容器）内を通過中のエレメントに流れる電流の均一性を高めることが望ましい。エレメントを流れる電流の均一性が高くなると、焼けめっきの生じない最大電流を絶縁性容器を通過中のエレメント全部に流すことも可能となる。めっき効率が向上することで、同じ厚みのめっき被膜を成長させるのに要する時間が短くなるので、ファスナーチェーンの搬送速度を高め、生産効率を向上することが可能となる。陰極を複数設置することによる電流の均一化の効果は、導電率の低いめっき液になるほど顕著に現れる。
【００３３】
好ましい実施形態によれば、第一の絶縁性容器（第二の絶縁性容器）内を通過中のエレメントのうち、電流の最も高いエレメントにおける電流密度（エレメントを流れる電流÷エレメントの表面積）をＤmax、第一の絶縁性容器内を通過中のエレメントのうち、電流の最も低いエレメントにおける電流密度をＤminとすると、０．８≦Ｄmin／Ｄmax≦１．０が成立する。より好ましくは０．９≦Ｄmin／Ｄmax≦１．０が成立し、更により好ましくは０．９５≦Ｄmin／Ｄmax≦１．０が成立する。
【００３４】
電流均一化による搬送速度の高速化について考察する。例えば、絶縁性容器の内側面のうち、搬送方向の先頭側の内側面に陰極が一つ設置された場合に、陰極付近のエレメントで１０Ａ／ｄｍ2、出口付近のエレメントで３Ａ／ｄｍ2であったとすると、平均電流密度は（１０＋３）／２＝６．５Ａ／ｄｍ2である。これに対して、陰極を複数設置したことにより、平均電流密度が１０Ａ／ｄｍ2になると、同じ厚みのめっき被膜を得るのに１０／６．５＝１．５４倍の速度で搬送することが可能となる。
【００３５】
好ましい実施形態においては、陰極は、第一の絶縁性容器（第二の絶縁性容器）の内側面のうち、ファスナーチェーンの通過方向の先頭側の内側面及び後尾側の内側面に少なくとも一箇所ずつ設置される。これにより、ファスナーチェーンの搬送方向における電流の均一性を高めることができる。例えば、図１６には、絶縁性容器の内側面のうち、ファスナーチェーンの通過方向の先頭側の内側面と、ファスナーチェーンの通過方向に平行な内側面の後尾部とに陰極が一箇所ずつ設置される場合のエレメントを流れる電流の搬送方向の変化が模式的に示されている。この場合、各陰極から離れるに従って、各陰極に起因する電流（点線で示す）は小さくなるが、それぞれの電流を合計すると、実線で示すように、絶縁性容器内を通過中のエレメントに流れる電流の均一性が向上する。陰極は、第一の絶縁性容器（第二の絶縁性容器）の後尾側の内側面に設置してもよいが、導電性媒体は先頭側に集まりやすく後尾側の内側面は導電性媒体と接触する可能性が低くなりやすいので、ファスナーチェーンの通過方向に平行な内側面の後尾部に設置することが好ましい。この場合、後尾部の陰極は、当該内側面のファスナーチェーンの通過方向の長さ１００％に対して、ファスナーチェーンの通過方向の後尾側から０〜３０％の範囲内に設置されることが好ましく、０〜２０％の範囲内に設置されることがより好ましい。
【００３６】
絶縁性容器が搬送方向に長い場合は、ファスナーチェーンの通過方向の先頭側の内側面と、ファスナーチェーンの通過方向に平行な内側面の後尾部とに陰極を一箇所ずつ設置するだけでは絶縁性容器内を通過するエレメントに流れる電流を十分に均一化できない場合がある。このような場合、陰極は更に、第一の絶縁性容器（第二の絶縁性容器）の内側面のうち、ファスナーチェーンの通過方向に平行な内側面に少なくとも一箇所追加して設置されることが好ましい。ファスナーチェーンの通過方向に平行な内側面に設置する陰極の数は絶縁性容器の搬送方向の長さ及び所望される電流に応じて決定すればよい。また、陰極を三箇所以上設置する場合は、ファスナーチェーンの通過方向に等間隔に複数設置されることが絶縁性容器内を通過するエレメントに流れる電流の均一性を高める上で好ましい。
【００３７】
図１７には、絶縁性容器の内側面のうち、ファスナーチェーンの通過方向の先頭側の内側面、並びにファスナーチェーンの通過方向に平行な内側面の中央部及び後尾部に陰極が一箇所ずつ設置される場合のエレメントに流れる電流の搬送方向の変化が模式的に示されている。これによれば、ファスナーチェーンの通過方向の先頭側の内側面と、ファスナーチェーンの通過方向に平行な内側面の後尾部に設置された陰極に起因する電流（点線で示す）が、絶縁性容器内のファスナーチェーンの通過方向中央付近において大きく低下したとしても、陰極がファスナーチェーンの通過方向に平行な内側面の中央部に設置されていることで、当該陰極に起因する電流（一点鎖線で示す）が流れる。これにより、三つの陰極に起因する電流を合計すると、実線で示すように、ファスナーチェーンの搬送方向における電流の均一性を改善することができる。三つの陰極を設置する実施態様において、電流の均一性を高めるという観点からは、第一の絶縁性容器（第二の絶縁性容器）の内側面のうち、ファスナーチェーンの通過方向に平行な内側面に設置される陰極は、当該内側面のファスナーチェーンの通過方向の長さ１００％に対して、ファスナーチェーンの通過方向の先頭側から３０〜７０％の範囲内に設置されることが好ましく、４０〜６０％の範囲内に設置されることがより好ましい。
【００３８】
第一の絶縁性容器（第二の絶縁性容器）の内側面のうち、ファスナーチェーンの通過方向に平行な内側面に設置される陰極は、当該内側面と面一に設置されることが好ましい（図１８参照）。これにより、導電性媒体の流動が陰極によって阻害されることがなくなる。
【００３９】
導電性媒体は各絶縁性容器内で流動可能となっており、ファスナーチェーンの走行に伴って導電性媒体は流動及び／又は回転及び／又は上下運動しながら各エレメントとの接触場所を常時変化させる。これによって電流を通る場所や接点抵抗も常時変化するため、均一性の高いめっき被膜を成長させることが可能となる。導電性媒体は、流動可能な状態で容器内に収容されている限り、その形状に制約はないが、流動性の観点から球状であることが好ましい。
【００４０】
各導電性媒体の寸法はファスナーチェーンのチェーン幅、エレメントのスライダー摺動方向の幅及びピッチによって最適値が異なるが、後述するような固定セル方式の電気めっき装置を使用する場合、第一の絶縁性容器内及び第二の絶縁性容器内をファスナーチェーンが通過中に、ファスナーチェーンの走行通路内に導電性媒体が進入して走行通路内に導電性媒体が詰まりにくくするにはチェーン厚以上であることが好ましい。 
【００４１】
第一の絶縁性容器内及び第二の絶縁性容器内に収容する導電性媒体の個数については特に制約はないが、ファスナーチェーンの各エレメントに給電を行うことができるという観点、特に、ファスナーチェーンが走行中に導電性媒体が進行方向に移動しても、導電性媒体が第一の絶縁性容器内及び第二の絶縁性容器内を通過中の各エレメントと接触を常に保てるだけの数量を確保するという観点から、適宜設定することが望ましい。一方で、ファスナーチェーンの各エレメントには、導電性媒体から適度な押し付け圧力が掛かるほうが電気が流れやすくなり好ましいが、過度な押し付け圧力は搬送抵抗を増大させてファスナーチェーンのスムーズな搬送を妨害する。このため、ファスナーチェーンは過度な搬送抵抗を受けることなくスムーズに第一の絶縁性容器内及び第二の絶縁性容器内を通過できることが好ましい。以上の観点から、例示的には、各絶縁性容器内に収容する導電性媒体は、導電性媒体をエレメント上に敷き詰めた場合に３層以上（換言すれば、導電性媒体の直径の３倍以上の積層厚み）形成できる量が望ましく、３〜８層（換言すれば、導電性媒体の直径の３〜８倍の積層厚み）形成できる量とするのが典型的である。
【００４２】
後述するような固定セル方式の電気めっき装置を使用する場合に、ファスナーチェーンが第一の絶縁性容器内及び第二の絶縁性容器内を水平に通過すると、導電性媒体は搬送方向の先頭に移動して集積しやすい。すると、先頭部分に集積した分の導電性媒体の重みによってファスナーチェーンが押し付けられるため、ファスナーチェーンに対する搬送抵抗が大きくなる。また、陰極から導電性媒体に電流が流れる際、セルの長さが長くなると電圧降下によってめっき効率が低下する。このため、第一の絶縁性容器及び第二の絶縁性容器をそれぞれ二つ以上直列に連結することで導電性媒体による重みに起因する搬送抵抗を受けにくくすることができ、また、めっき効率を向上させることができる。各絶縁性容器を二つ以上直列に連結する数の増減によってめっき被膜の厚みやファスナーチェーンの走行速度を調整することもできる。
【００４３】
搬送抵抗を低減するという観点からは、各絶縁性容器内を通過するファスナーチェーンの走行方向に上向きの角度を設けること、すなわちファスナーチェーンが各絶縁性容器内を上昇しながら通過することが望ましい。これにより、搬送方向に移動しやすい導電性媒体が自重によって搬送方向の後方に落ちてくるため、搬送方向の先頭に導電性媒体が集積しにくくなる。傾斜角度は搬送速度、導電性媒体の大きさ及び個数等によって適宜設定すればよいが、導電性媒体が球形であり、エレメント上に３〜８層形成可能な量とする場合には、ファスナーチェーンが走行中に導電性媒体が進行方向に移動しても、導電性媒体が第一の絶縁性容器内及び第二の絶縁性容器内を通過中の各エレメントとの接触を保たれるようにするという観点から、９°以上が好ましく、典型的には９°以上４５°以下である。
【００４４】
めっき装置をよりコンパクトに設計するという観点からは、ファスナーチェーンが各絶縁性容器内を鉛直方向に上昇しながら通過する方法もある。当該方法によれば、めっき槽が鉛直方向に長くなる一方で水平方向には短くなるのでめっき装置の設置面積を小さくすることができる。
【００４５】
本発明に係るめっき方法の一実施形態においては、ファスナーチェーンが第一の絶縁性容器内を通過中に、主としてファスナーチェーンの第一の主表面側に露出した各金属製エレメントの表面を第一の絶縁性容器内の複数の導電性媒体に接触させることにより給電する。この際、ファスナーチェーンの第二の主表面側に露出した各金属製エレメントの表面と対向する位置関係で第一の陽極を設置することで、陽イオンと電子に規則的な流れが生じ、ファスナーチェーンの第二の主表面側に露出した各金属製エレメントの表面側にめっき被膜を迅速に成長させることができる。導電性媒体にめっきがなされるのを抑制するという観点からは、ファスナーチェーンの第二の主表面側に露出した各金属製エレメントの表面と対向する位置関係でのみ第一の陽極を設置することが好ましい。
【００４６】
また、本発明に係るめっき方法の別の一実施形態においては、ファスナーチェーンが第二の絶縁性容器内を通過中に、主として該ファスナーチェーンの第二の主表面側に露出した各金属製エレメントの表面を第二の絶縁性容器内の前記複数の導電性媒体に接触させることにより給電する。この際、ファスナーチェーンの第一の主表面側に露出した各金属製エレメントの表面と対向する位置関係で第二の陽極を設置することで、陽イオンと電子に規則的な流れが生じ、ファスナーチェーンの第一の主表面側に露出した各金属製エレメントの表面側にめっき被膜を迅速に成長させることができる。エレメント以外の余計な箇所にめっきがなされるのを抑制するという観点からは、ファスナーチェーンの第一の主表面側に露出した各金属製エレメントの表面と対向する位置関係でのみ第二の陽極を設置することが好ましい。
【００４７】
複数の導電性媒体をファスナーチェーンの両方の主表面にランダムに接触させると陽イオンと電子の流れも乱雑となり、電子めっき被膜の成長速度が遅くなってしまうため、できるだけ片方の主表面側に露出した各金属製エレメントの表面を優先的に複数の導電性媒体に接触させることが望ましい。よって、ファスナーチェーンが第一の絶縁性容器内を通過中に、第一の絶縁性容器内の導電性媒体の全個数のうち６０％以上、好ましくは８０％以上、より好ましくは９０％以上、更により好ましくはすべてをファスナーチェーンの第一の主表面側に露出した各金属製エレメントの表面に接触可能に構成することが望ましい。第一の絶縁性容器内の導電性媒体のすべてをファスナーチェーンの第一の主表面側に露出した各金属製エレメントの表面に接触可能に構成するというのは、第一の主表面側に露出した各金属製エレメントの表面のみを第一の絶縁性容器内の導電性媒体に接触させることを意味する。
【００４８】
同様に、ファスナーチェーンが第二の絶縁性容器内を通過中に、第二の絶縁性容器内の導電性媒体の全個数のうち６０％以上、好ましくは８０％以上、より好ましくは９０％以上、更により好ましくはすべてをファスナーチェーンの第二の主表面側に露出した各金属製エレメントの表面に接触可能に構成することが望ましい。第二の絶縁性容器内の導電性媒体のすべてをファスナーチェーンの第二の主表面側に露出した各金属製エレメントの表面に接触可能に構成するというのは、第二の主表面側に露出した各金属製エレメントの表面のみを第二の絶縁性容器内の導電性媒体に接触させることを意味する。
【００４９】
ファスナーチェーンの第二の主表面側に露出した各金属製エレメントの表面と第一の陽極の最短距離、及び、ファスナーチェーンの第一の主表面側に露出した各金属製エレメントの表面と第二の陽極の最短距離は、それぞれ短い方が各金属製エレメントへ効率的にめっきすることができ、不要な箇所（例えば、導電性媒体）へのめっきを抑制することができる。めっき効率が高まることにより、導電性媒体のメンテナンス費用、薬品代、電気代が節約できる。具体的には各金属製エレメントと陽極の最短距離は１０ｃｍ以下が好ましく、８ｃｍ以下がより好ましく、６ｃｍ以下が更により好ましく、４ｃｍ以下が更により好ましい。この際、第一の陽極及び第二の陽極はファスナーチェーン搬送方向に平行に延設されることがめっき効率の観点から望ましい。
【００５０】
（３．めっき装置）
次に、本発明に係る金属製エレメントの列を有するファスナーチェーンの電気めっき方法を実施するのに好適な電気めっき装置の実施形態について説明する。ただし、電気めっき方法の実施形態の説明の中で述べた構成要素と同一の構成要素に関する説明は、電気めっき装置の実施形態の説明においても該当するため、原則として重複する説明を省略する。
【００５１】
本発明に係る電気めっき装置は一実施形態において、
めっき液を収容可能なめっき槽と、
めっき槽中に配置された第一の陽極と、
めっき槽中に配置され、且つ、複数の導電性媒体が陰極に電気的に接触した状態で流動可能に収容された一つ又は二つ以上の第一の絶縁性容器と、
を備える。
【００５２】
本実施形態において、第一の絶縁性容器は、主として該ファスナーチェーンの第一の主表面側に露出した各金属製エレメントの表面を第一の絶縁性容器内の前記複数の導電性媒体に接触させながら、該ファスナーチェーンが第一の絶縁性容器内を通過することが可能なように構成される。また、本実施形態において、第一の陽極は、該ファスナーチェーンが第一の絶縁性容器を通過する際に、該ファスナーチェーンの第二の主表面側に露出した各金属製エレメントの表面と対向することができる位置関係で設置される。本実施形態によれば、ファスナーチェーンの一方の主表面側に露出したエレメント列の表面を主としてめっきすることができる。
【００５３】
本発明に係る電気めっき装置は別の一実施形態において、
めっき槽中に配置された第二の陽極と、
めっき槽中に配置され、且つ、複数の導電性媒体が陰極に電気的に接触した状態で流動可能に収容された一つ又は二つ以上の第二の絶縁性容器と、
を更に備える。
【００５４】
本実施形態において、第二の絶縁性容器は、主として該ファスナーチェーンの第二の主表面側に露出した各金属製エレメントの表面を第二の絶縁性容器内の前記複数の導電性媒体に接触させながら、該ファスナーチェーンが第二の絶縁性容器内を通過することが可能なように構成される。また、本実施形態において、第二の陽極は、該ファスナーチェーンが第二の絶縁性容器を通過する際に、該ファスナーチェーンの第一の主表面側に露出した各金属製エレメントの表面と対向する位置関係で設置される。本実施形態によれば、ファスナーチェーンの両主表面側に露出したエレメント列の表面に対してめっきが可能である。
【００５５】
（３−１  固定セル方式めっき装置）
次に、本発明に係る電気めっき装置の具体的な構成例について説明する。最初に説明するのは固定セル方式の電気めっき装置である。固定セル方式は一方の主表面側に露出した各金属製エレメントの表面のみを絶縁性容器内の導電性媒体に接触させることができるという点で有利である。固定セル方式のめっき装置においては、絶縁性容器はめっき装置内で固定されており、回転動作等の動きを伴わない。固定セル方式のめっき装置の一構成例における絶縁性容器（第一及び第二の絶縁性容器の何れにも使用可能である。）の構造を図２〜図４に模式的に示す。図２は、固定セル方式のめっき装置の絶縁性容器をファスナーチェーンの搬送方向と向き合う方向から見たときの模式的な断面図である。図３は、図２に示す絶縁性容器の模式的なＡＡ’線断面図である。図４は、図２に示す絶縁性容器から導電性媒体及びファスナーチェーンを取り除いたときの模式的なＢＢ’線断面図である。
【００５６】
図２及び図３を参照すると、絶縁性容器１１０はファスナーチェーン７の走行経路を案内する通路１１２、及び複数の導電性媒体１１１を流動可能に収容する収容部１１３を内部に有する。通路１１２はファスナーチェーンの入口１１４と、前記ファスナーチェーンの出口１１５と、ファスナーチェーン７の一方（第一又は第二）の主表面側と対向する側の路面１１２ａに複数の導電性媒体１１１へのアクセスを可能とする一つ又は二つ以上の開口１１７と、ファスナーチェーン７の他方（第二又は第一）の主表面側と対向する側の路面１１２ｂにめっき液が連通可能で且つ電流が流れることを可能とした複数の開口１１６とを有する。路面１１２ｂにはエレメント３の搬送方向を案内するためのガイド溝１２０を搬送方向に沿って延設してもよい。
【００５７】
複数の導電性媒体１１１へのアクセスを可能とする一つ又は二つ以上の開口１１７について、チェーン幅方向の長さをＷ2とし、導電性媒体１１１の直径をＤとすると、チェーン幅方向に３〜６個のボール球が部分的に重なるように配列すると、ボール球の移動や回転のためのスペースが確保されつつ、給電が安定しやすいことから、２Ｄ＜Ｗ2＜６Ｄの関係が成立することが好ましく、２Ｄ＜Ｗ2＜３Ｄの関係が成立することがより好ましく、２．１Ｄ≦Ｗ2≦２．８Ｄが更により好ましい。ここで、チェーン幅とはＪＩＳ  ３０１５：２００７に規定される通り、噛み合ったエレメントの幅を指す。また、導電性媒体の直径は測定対象となる導電性媒体と同一の体積を有する真球の直径と定義する。
【００５８】
入口１１４から絶縁性容器１１０内に入ったファスナーチェーン７は、通路１１２内を矢印の方向に走行し、出口１１５から出て行く。ファスナーチェーン７が通路１１２内を通過中、収容部１１３に保持された複数の導電性媒体１１１は、開口１１７を通じてファスナーチェーン７の一方の主表面側に露出した各エレメント３の表面に接触可能である。しかし、ファスナーチェーン７の他方の主表面側に露出した各エレメント３の表面に対して導電性媒体１１１がアクセス可能な開口は存在しない。このため、収容部１１３に保持された複数の導電性媒体１１１は、ファスナーチェーン７の他方の主表面側に露出した各エレメント３の表面に接触することはできない。
【００５９】
通路１１２内を走行するファスナーチェーン７に引きずられて、導電性媒体１１１は搬送方向の先頭に移動して集積しやすくなるが、過度に集積すると導電性媒体１１１が先頭で詰まり、ファスナーチェーン７が強く押し付けられるため、ファスナーチェーン７の搬送抵抗が大きくなる。このため、図３に示すように、入口１１４よりも高いところに出口１１５を設けることで通路１１２を上り傾斜させることにより、絶縁性容器１１０内に収容されている複数の導電性媒体１１１は重力によって搬送方向の後方に戻すことができるので、搬送抵抗を低下させることができる。入口１１４の鉛直上方に出口１１５を設けてファスナーチェーン７の搬送方向を鉛直上方とすることも可能であり、これにより搬送抵抗の制御が容易となり、また、設置スペースも小さくて済むという利点が得られる。
【００６０】
図４を参照すると、収容部１１３の内面のうち、搬送方向の先頭側の内側面１１３ａに板状陰極１１８が設置されている。複数の導電性媒体１１１は板状陰極１１８に電気的に接触することが可能である。また、ファスナーチェーン７が通路１１２内を通過中、複数の導電性媒体１１１はファスナーチェーン７の一方の主表面側に露出した各エレメント３の表面に電気的に接触することが可能である。複数の導電性媒体１１１のうち少なくとも一部がこれら両方の導電性媒体１１１に電気的に接触することで電気の経路が生まれると、ファスナーチェーン７が通路１１２内を通過中、各エレメント３に対して給電が可能となる。
【００６１】
典型的な実施形態においては、ファスナーチェーン７はめっき液中に浸漬された状態で電気めっきされる。ファスナーチェーン７が絶縁性容器１１０の通路１１２内を通過中、めっき液は開口１１６を通じて通路１１２内に浸入することで、各エレメント３に接触可能である。ファスナーチェーン７の他方（第二又は第一）の主表面側と対向する側に陽極１１９を設置することで、めっき液中の陽イオンは、ファスナーチェーンの他方の主表面側に効率的に到達することができ、当該主表面側に露出した各エレメント３の表面にめっき被膜を迅速に成長させることができる。
【００６２】
路面１１２ｂに形成する開口１１６は、通路１１２内を走行するファスナーチェーン７との引っ掛かりがないように設けることがファスナーチェーン７の円滑な搬送にとって有利である。この観点からは、各開口１１６は円形状の穴とすることが好ましく、例えば、直径１〜３ｍｍの円形状の穴とすることができる。
【００６３】
また、路面１１２ｂに形成する開口１１６は、通路１１２内を走行するファスナーチェーン７のエレメント３全体に電気が高い均一性で流れるように設けることが均一性の高いめっき皮膜を得る上で好ましい。このような観点から、路面１１２ｂの開口１１６を含む面積に対する開口１１６の面積の比率（以下、開口率という。）は、４０％以上であることが好ましく、５０％以上であることがより好ましい。ただし、開口率は強度確保の理由により、６０％以下であることが好ましい。また、複数の開口１１６は、図４に示すように、ファスナーチェーン７の搬送方向に沿って複数配列することが好ましく（図４では３列）、エレメント３の露出した面全面に電流が流れてめっきが付きやすくするという観点から、千鳥配列することがより好ましい。
【００６４】
ファスナーチェーン７が通路１１２内を走行中、複数の導電性媒体１１１はファスナーテープ１に接触しないことが好ましい。複数の導電性媒体１１１がファスナーテープ１に接触すると、ファスナーチェーンの搬送抵抗を増大させるためである。従って、開口１１７は複数の導電性媒体１１１がファスナーテープに接触できない場所に設置することが好ましい。絶縁性容器をファスナーチェーンの搬送方向と向き合う方向から見たとき（図２参照）、開口１１７の両側壁からエレメント３の両端までのチェーン幅方向の隙間Ｃ１、Ｃ２はそれぞれ各導電性媒体１１１の半径以下であることがより好ましい。ただし、開口１１７の両側壁間の距離が狭くなると、導電性媒体１１１とエレメント３の接触頻度が低くなるため、隙間Ｃ１、Ｃ２は０以上であることが好ましく、０より大きいことがより好ましい。なお、導電性媒体の半径は測定対象となる導電性媒体と同一の体積を有する真球の半径と定義する。
【００６５】
通路１１２内に導電性媒体が入り込まないように、路面１１２ａと路面１１２ｂの間の距離は導電性媒体の直径よりも短いことが好ましい。通路１１２内に導電性媒体が入り込むと搬送抵抗を著しく増大させて、ファスナーチェーン７の搬送が困難に陥る原因となるからである。
【００６６】
図５〜図１０には、固定セル方式の電気めっき装置の全体構成例が幾つか示されている。図５〜図１０に示す実施態様においては、ファスナーチェーン７は、めっき液２０２の入っためっき槽２０１中でテンションをかけて矢印の方向に搬送される。テンションは０．１Ｎ〜０．２Ｎの加重が好ましい。
【００６７】
図５に示す実施態様においては、ファスナーチェーン７は、めっき液２０２中に入った後、めっき槽２０１の底部まで鉛直下方に進む。底部に到達後は反転して、第一の絶縁性容器１１０ａ及び第二の絶縁性容器１１０ｂを順に鉛直上方に通過し、めっき液２０２から出て行く。
【００６８】
図５に示す実施態様においては、第一の絶縁性容器１１０ａ及び第二の絶縁性容器１１０ｂはファスナーチェーン７の各主表面を基準にして互いに反対向きに設けられている。また、第一の絶縁性容器１１０ａ及び第二の絶縁性容器１１０ｂの内部はそれぞれ、直列に連結された二つの区画Ａ、Ｂに分かれている。ファスナーチェーン７は、第一の絶縁性容器１１０ａを通過中、ファスナーチェーン７の一方の主表面側に露出した各金属製エレメントの表面がめっきされ、第二の絶縁性容器１１０ｂを通過中、ファスナーチェーン７の他方の主表面側に露出した各金属製エレメントの表面がめっきされる。本実施形態によれば、一つのめっき槽で両面めっきが可能であり、設置スペースも少なくて済む。第一の絶縁性容器１１０ａと第二の絶縁性容器１１０ｂの間には相互に影響を受けないようにするための、電気遮断用の絶縁性の仕切り板１２１が設けられている。仕切り板１２１の材質としては絶縁体であれば特に制限はないが、例えば塩化ビニル樹脂等の樹脂製とすることができる。
【００６９】
図６に示す実施態様においては、ファスナーチェーン７は、めっき液２０２中に入った後、めっき槽２０１の底部まで鉛直下方に進む。底部に到達後は反転して、第一の絶縁性容器１１０ａを鉛直上方に通過する。ファスナーチェーン７はいったんめっき液２０２から出た後、反転して再びめっき液２０２中に入り、めっき槽２０１の底部まで鉛直下方に進む。底部に到達後は再度反転して、第二の絶縁性容器１１０ｂを鉛直上方に通過し、めっき液２０２から出て行く。
【００７０】
図６に示す実施態様においては、第一の絶縁性容器１１０ａ及び第二の絶縁性容器１１０ｂはファスナーチェーン７の各主表面を基準にして互いに反対向きに設けられている。また、第一の絶縁性容器１１０ａ及び第二の絶縁性容器１１０ｂの内部はそれぞれ、直列に連結された二つの区画Ａ、Ｂに分かれている。ファスナーチェーン７は、第一の絶縁性容器１１０ａを通過中、ファスナーチェーン７の一方の主表面側に露出した各金属製エレメントの表面がめっきされ、第二の絶縁性容器１１０ｂを通過中、ファスナーチェーン７の他方の主表面側に露出した各金属製エレメントの表面がめっきされる。本実施形態によれば、一つのめっき槽で両面めっきが可能である。
【００７１】
図７に示す実施態様においては、ファスナーチェーン７は、めっき液２０２中に入った後、めっき槽２０１の底部まで鉛直下方に進む。底部に到達後は反転して、第一の絶縁性容器１１０ａ及び第二の絶縁性容器１１０ｂの第一のセットを順に鉛直上方に通過する。ファスナーチェーン７はいったんめっき液２０２から出た後、反転して再びめっき液２０２中に入り、めっき槽２０１の底部まで鉛直下方に進む。底部に到達後は再度反転して、第一の絶縁性容器１１０ａ及び第二の絶縁性容器１１０ｂの第二のセットを鉛直上方に通過し、めっき液２０２から出て行く。
【００７２】
図７に示す実施態様においては、第一の絶縁性容器１１０ａ及び第二の絶縁性容器１１０ｂはファスナーチェーン７の各主表面を基準にして互いに反対向きに設けられている。ファスナーチェーン７は、第一の絶縁性容器１１０ａを通過中、ファスナーチェーン７の一方の主表面側に露出した各金属製エレメントの表面がめっきされ、第二の絶縁性容器１１０ｂを通過中、ファスナーチェーン７の他方の主表面側に露出した各金属製エレメントの表面がめっきされる。第一の絶縁性容器１１０ａと第二の絶縁性容器１１０ｂの間には相互に影響を受けないようにするための、電気遮断用の絶縁性の仕切り板１２１が設けられている。更に、第一のセットと第二のセットの間にも、相互に影響を受けないようにするための、電気遮断用の仕切り板１２１が設けられている。本実施形態によれば、一つのめっき槽で両面めっきが可能である。
【００７３】
図８に示す実施態様においては、めっき槽２０１は第一のめっき槽２０１ａ、第二のめっき槽２０１ｂ、及び第三のめっき槽２０１ｃに分かれている。ファスナーチェーン７は、第一のめっき槽２０１ａのめっき液２０２ａ中に入った後、第一のめっき槽２０１ａの底部まで鉛直下方に進む。底部に到達後は反転して、直列に配列された二つの第一の絶縁性容器１１０ａを鉛直上方に通過し、めっき液２０２ａから出る。次いで、ファスナーチェーン７は、第二のめっき槽２０１ｂの側壁に設けられた入口２０４からめっき液２０２ｂ中に入り、直列に配列された三つの第二の絶縁性容器１１０ｂを斜め上方に通過し、第二のめっき槽２０１ｂの側壁に設けられた出口２０５から出る。出口２０５は入口２０４よりも高い位置にある。次いで、ファスナーチェーン７は、第三のめっき槽２０１ｃのめっき液２０２ｃ中に入った後、第三のめっき槽２０１ｃの底部まで鉛直下方に進む。底部に到達後は反転して、直列に配列された二つの第一の絶縁性容器１１０ａを鉛直上方に通過し、めっき液２０２ｃから出る。
【００７４】
図８に示す実施態様においては、第二のめっき槽２０１ｂの入口２０４及び出口２０５からはめっき液がオーバーフローする。オーバーフローしためっき液は戻りパイプ２１０を通って貯留槽２０３に回収された後、循環ポンプ２０８によって送りパイプ２１２を通って再び第二のめっき槽２０１ｂに供給される。貯留槽２０３内にヒータ２０９を設置して内部のめっき液を加温してもよい。
【００７５】
図８に示す実施態様においては、第一の絶縁性容器１１０ａ及び第二の絶縁性容器１１０ｂはファスナーチェーン７の各主表面を基準にして互いに反対向きに設けられている。ファスナーチェーン７は、第一の絶縁性容器１１０ａを通過中、ファスナーチェーン７の一方の主表面側に露出した各金属製エレメントの表面がめっきされ、第二の絶縁性容器１１０ｂを通過中、ファスナーチェーン７の他方の主表面側に露出した各金属製エレメントの表面がめっきされる。
【００７６】
図９に示す実施態様においては、めっき槽２０１は第一のめっき槽２０１ａ及び第二のめっき槽２０１ｂに分かれている。ファスナーチェーン７は、第一のめっき槽２０１ａの側壁に設けられた入口２０６からめっき液２０２ａ中に入り、直列に配列された三つの第一の絶縁性容器１１０ａを斜め上方に通過し、第一のめっき槽２０１ａの側壁に設けられた出口２０７から出る。出口２０７は入口２０６よりも高い位置にある。次いで、ファスナーチェーン７は、第二のめっき槽２０１ｂのめっき液２０２ｂ中に入った後、第二のめっき槽２０１ｂの底部まで鉛直下方に進む。底部に到達後は反転して、直列に配列された三つの第二の絶縁性容器１１０ｂを鉛直上方に通過し、めっき液２０２ｂから出る。
【００７７】
図９に示す実施態様においては、第一のめっき槽２０１ａの入口２０６及び出口２０７からはめっき液がオーバーフローする。オーバーフローしためっき液は戻りパイプ２１０を通って貯留槽２０３に回収された後、循環ポンプ２０８によって送りパイプ２１２を通って再び第一のめっき槽２０１ａに供給される。貯留槽２０３内にヒータ２０９を設置して内部のめっき液を加温してもよい。
【００７８】
図９に示す実施態様においては、第一の絶縁性容器１１０ａ及び第二の絶縁性容器１１０ｂはファスナーチェーン７の各主表面を基準にして互いに反対向きに設けられている。ファスナーチェーン７は、第一の絶縁性容器１１０ａを通過中、ファスナーチェーン７の一方の主表面側に露出した各金属製エレメントの表面がめっきされ、第二の絶縁性容器１１０ｂを通過中、ファスナーチェーン７の他方の主表面側に露出した各金属製エレメントの表面がめっきされる。
【００７９】
図１０に示す実施態様においては、めっき槽２０１は第一のめっき槽２０１ａ及び第二のめっき槽２０１ｂに分かれている。ファスナーチェーン７は、第一のめっき槽２０１ａの側壁に設けられた入口２０４からめっき液２０２ａ中に入り、直列に配列された三つの第一の絶縁性容器１１０ａを斜め上方に通過し、第一のめっき槽２０１ａの側壁に設けられた出口２０５から出る。出口２０５は入口２０４よりも高い位置にある。次いで、ファスナーチェーン７は方向転換して、第一のめっき槽２０１ａの上方に設置された第二のめっき槽２０１ｂの側壁に設けられた入口２０６からめっき液２０２ｂ中に入り、直列に配列された三つの第二の絶縁性容器１１０ｂを斜め上方に通過し、第二のめっき槽２０１ｂの側壁に設けられた出口２０７から出る。
【００８０】
図１０に示す実施態様においては、第一のめっき槽２０１ａの入口２０４及び出口２０５からはめっき液がオーバーフローする。オーバーフローしためっき液は戻りパイプ２１０ａを通って貯留槽２０３に回収された後、循環ポンプ２０８によって送りパイプ２１２ａを通って再び第一のめっき槽２０１ａに供給される。また、第二のめっき槽２０１ｂの入口２０６及び出口２０７からはめっき液がオーバーフローする。オーバーフローしためっき液は戻りパイプ２１０ｂを通って貯留槽２０３に回収された後、循環ポンプ２０８によって送りパイプ２１２ｂを通って再び第二のめっき槽２０１ｂに供給される。
【００８１】
図１０に示す実施態様において、第一のめっき槽２０１ａ内にはめっき液２０２ａの液面を調整するための戻りパイプ２１４、第二のめっき槽２０１ｂ内にはめっき液２０２ｂの液面を調整するための戻りパイプ２１６がそれぞれ設置されており、各めっき槽（２０１ａ、２０１ｂ）からめっき液が溢れるのを防止している。
【００８２】
図１０に示す実施態様においては、第一の絶縁性容器１１０ａ及び第二の絶縁性容器１１０ｂはファスナーチェーン７の各主表面を基準にして互いに反対向きに設けられている。ファスナーチェーン７は、第一の絶縁性容器１１０ａを通過中、ファスナーチェーン７の一方の主表面側に露出した各金属製エレメントの表面がめっきされ、第二の絶縁性容器１１０ｂを通過中、ファスナーチェーン７の他方の主表面側に露出した各金属製エレメントの表面がめっきされる。
【００８３】
図５〜図１０に示す実施態様において、ファスナーチェーン７を走行させながら直列に配置された各固定セル（第一の絶縁性容器１１０ａ及び第二の絶縁性容器１１０ｂ）の陰極へ流れる電流量に変化を与える（電流のＯＮ／ＯＦＦ、電流の大小）ことで、エレメント３毎にめっき膜厚を変えることができる。これにより、ファスナーチェーン７に対してまだら模様（膜厚が異なる）のめっき外観を付与することができる。
【００８４】
図８〜図１０に示す実施態様において、第一の絶縁性容器１１０ａ及び第二の絶縁性容器１１０ｂが収容されるめっき槽が分かれている。このため、両者を同一組成のめっき液中に浸漬することもできるが、両者を異なる組成のめっき液の入っためっき槽に配置することで、一方の主表面と他方の主表面を異なる色にめっきすることができる。
【００８５】
（３−２  回転バレル方式めっき装置）
次に説明する例は回転バレル方式の電気めっき装置である。回転バレル方式はファスナーチェーンを水平走行させるだけで両面めっきができるという点で有利である。回転バレル方式のめっき装置においては、絶縁性容器はファスナーチェーンの走行方向に平行な回転軸を有する回転バレルを形成する。図１１は、回転バレル方式の電気めっき装置においてファスナーチェーンの上面に優先的にめっきされる原理を説明する模式図である。図１２は、回転バレル方式の電気めっき装置においてファスナーチェーンの下面に優先的にめっきされる原理を説明する模式図である。図１１及び図１２においては、回転バレルをファスナーチェーンの搬送方向と向き合う方向から見たときの様子が描かれている。
【００８６】
図１１を参照すると、めっき槽２０１内のめっき液２０２中に浸漬された第一の回転バレル３１０ａには複数の導電性媒体３１１が流動可能に収容されており、複数の導電性媒体３１１は第一の回転バレル３１０ａ内で、ファスナーチェーン７の上面側に露出した各エレメント３の表面よりも、ファスナーチェーン７の下面側に露出した各エレメント３の表面へ優先的に接触する高さまで充填されている。具体的な高さの調整は、導電性媒体３１１の直径及び個数、ファスナーチェーン７の高さなどを考慮し、適宜行うことができる。第一の回転バレル３１０ａの壁面には導電性媒体３１１が通過できない程度の大きさの開口３１８が設けられており、開口３１８を通じてめっき液が第一の回転バレル３１０ａ内へ出入りすることができるようになっている。ファスナーチェーン７が第一の回転バレル３１０ａ内を回転軸に平行な方向に通過中、複数の導電性媒体３１１は第一の回転バレル３１０ａの回転動作に伴って第一の回転バレル３１０ａの断面視円形状の内側面上を動きながら、第一の回転バレル３１０ａ内に設置された陰極３１７に少なくとも一部の導電性媒体３１１が接触し、また、第一の回転バレル３１０ａ内を通過中のファスナーチェーン７の下面側に露出した各エレメント３の表面に少なくとも一部の導電性媒体３１１が接触することができる。複数の導電性媒体３１１のうち少なくとも一部がこれら両方の導電性媒体３１１に電気的に接触することで電気の経路が生まれると、ファスナーチェーン７が第一の回転バレル３１０ａ内を通過中、各エレメント３に対して給電が可能となる。
【００８７】
図１１において、陽極３１６はファスナーチェーン７の上面側に露出した各エレメント３の表面と向き合う位置に設置されている。これによって、めっき液中の陽イオンは、ファスナーチェーン７の上面側に効率的に到達することができ、上面側に露出した各エレメント３の表面側にめっき被膜を迅速に成長させることができる。
【００８８】
一方、第一の回転バレル３１０ａ内の複数の導電性媒体３１１は、重力の影響を受けて第一の回転バレル３１０ａの内側面を滑り落ちる又は転がり落ちるためファスナーチェーン７の上面側に露出した各エレメント３の表面に接触することは困難である。
【００８９】
図１２を参照すると、めっき槽２０１内のめっき液２０２中に浸漬された第二の回転バレル３１０ｂには複数の導電性媒体３１１が流動可能に収容されている。第二の回転バレル３１０ｂの壁面には導電性媒体３１１が通過できない程度の大きさの開口３１８が複数設けられており、開口３１８を通じてめっき液が第二の回転バレル３１０ｂ内へ出入りすることができるようになっている。第二の回転バレル３１０ｂ内に収容された多数の導電性媒体３１１が、前記ファスナーチェーン７の下面側に露出したエレメント３の表面よりも、ファスナーチェーン７の上面側に露出した各エレメント３の表面へ優先的に接触するように、第二の回転バレル３１０ｂは断面視円形状の内側面から内側（図１２では回転軸の方向）に向かって突出した少なくとも一つのガイド部材３１２（図１２では等間隔で回転軸と平行な方向に延びた８枚のガイド板）を有する。
【００９０】
ファスナーチェーン７が第二の回転バレル３１０ｂを通過中、複数の導電性媒体３１１は第二の回転バレル３１０ｂの回転動作に伴って、第二の回転バレル３１０ｂの内側面をガイド部材３１２に支持されながら途中まで登ることができる。第二の回転バレル３１０ｂの回転動作が進行すると、ガイド部材３１２で支持しきれなくなった導電性媒体３１１が第二の回転バレル３１０ｂの内側へ流動する。
【００９１】
内側へ流動中の導電性媒体３１１の少なくとも一部は第二の回転バレル３１０ｂ内に設置された陰極３１７に接触し、また、第二の回転バレル３１０ｂ内を回転軸に平行な方向に通過中のファスナーチェーン７の上面側に露出した各エレメント３の表面に少なくとも一部の導電性媒体３１１が接触することができる。複数の導電性媒体のうち少なくとも一部がこれら両方の導電性媒体と電気的に接触することで電気の経路が生まれると、ファスナーチェーン７が第二の回転バレル３１０ｂ内を通過中、各エレメント３に対して給電が可能となる。
【００９２】
図１２において、陽極３１６はファスナーチェーン７の下面側に露出した各エレメント３の表面と向き合う位置に設置されている。これによって、めっき液中の陽イオンは、ファスナーチェーン７の下面側に効率的に到達することができ、下面側に露出した各エレメント３の表面側にめっき被膜を迅速に成長させることができる。
【００９３】
一方、第二の回転バレル３１０ｂ内の底部にある複数の導電性媒体３１１は、第二の回転バレル３１０ｂの回転に伴い、ガイド部材３１２に押されて持ち運び去られるため、第二の回転バレル３１０ｂ内の底部には滞留しにくい。このため、第二の回転バレル３１０ｂ内の複数の導電性媒体３１１がファスナーチェーン７の下面側に露出した各エレメント３の表面に接触することは困難である。
【００９４】
図１３には、回転バレル方式の電気めっき装置の全体構成例が示されている。ファスナーチェーン７は、矢印の方向に搬送されながら、めっき槽４０１の側壁に設けられた入口４０６からめっき液４０２中に入り、第一の回転バレル３１０ａの入口３１４ａから出口３１５ａまで水平方向に直線状に通過する。第一の回転バレル３１０ａを通過中、主としてファスナーチェーンの上面側に露出した各エレメント３の表面がめっきされる。次いで、ファスナーチェーン７は、第一の回転バレル３１０ａに直列に連結された第二の回転バレル３１０ｂの入口３１４ｂから出口３１５ｂまで水平方向に直線状に通過し、めっき槽４０１の側壁に設けられた出口４０７から出る。第二の回転バレル３１０ｂを通過中、主としてファスナーチェーン７の下面側に露出した各エレメント３の表面がめっきされる。第一の回転バレル３１０ａと第二の回転バレル３１０ｂの間には相互に影響を受けないようにするための、電気遮断用の絶縁性の仕切り板３２１が設けられている。
【００９５】
図１３に示す実施態様においては、めっき槽４０１の入口４０６及び出口４０７からはめっき液がオーバーフローする。オーバーフローしためっき液は戻りパイプ４１０を通って貯留槽４０３に回収された後、循環ポンプ４０８によって送りパイプ４１２を通って再びめっき槽４０１に供給される。貯留槽４０３内にヒータ４０９を設置して内部のめっき液を加温してもよい。
【００９６】
図１３に示す実施態様では、ファスナーチェーン７の上面側に露出した各エレメント３の表面にめっき被膜を成長させるための第一の回転バレル３１０ａと、ファスナーチェーン７の下面側に露出した各エレメント３の表面にめっき被膜を成長させるための第二の回転バレル３１０ｂの両方を使用したが、どちらか一方のみを使用することでもファスナーチェーンの両面にめっきすることが可能である。例えば、第一の回転バレル３１０ａを通過したファスナーチェーン７を上下反転させた後、別の第一の回転バレル３１０ａを通過させる方法が考えられる。また、第二の回転バレル３１０ｂを通過したファスナーチェーン７を上下反転させた後、別の第二の回転バレル３１０ｂを通過させる方法も考えられる。第二の回転バレル３１０ｂよりも第一の回転バレル３１０ａのほうがめっきの均一性を高くしやすいので、ファスナーチェーン７を上下反転させながら第一の回転バレル３１０ａのみを使用する方法が好ましい。
【実施例】
【００９７】
以下、本発明の実施例を示すが、これらは本発明及びその利点をより良く理解するために提供するものであり、本発明が限定されることを意図しない。【００９８】
（比較例１）
図１４に示す電気めっき装置を構築し、搬送中のファスナーチェーンに対して電気めっきを連続的に行った。当該電気めっき装置においては、めっき液２０２を入れためっき槽２０１の中に、多数の導電性媒体１１１を収容した絶縁性容器１１０が配置されている。絶縁性容器１１０の内部中央には陰極１１８が設置されており、導電性媒体１１１は陰極と電気的に接触している。絶縁性容器１１０はファスナーチェーン７の走行方向に対して前方及び後方の内側面に陽極１１９を有する。この例においては、ファスナーチェーン７がめっき液２０２中を通過する最中、ファスナーチェーン７の両方の主表面側に露出したエレメントに導電性媒体がランダムに接触することで、エレメントの表面にめっき被膜が成長する。【００９９】
めっき試験条件は以下である。
・ファスナーチェーンの仕様：ＹＫＫ（株）製型式５ＲＧチェーン（チェーン幅：５．７５ｍｍ、エレメント素材：丹銅）
・めっき液：５Ｌ、組成：Ｓｎ−Ｃｏ合金めっき用めっき液
・導電性媒体：ステンレス球、直径４．５ｍｍ、２７００個
・電流密度：５Ａ／ｄｍ2
電流密度は、整流器の電流値（Ａ）を、ガラス容器内のエレメントの全表面積（両面）及びステンレス球の表面積の合計（ｄｍ2）で除した値とした。ステンレス球の表面積を加味したのはステンレス球にもめっきが付着するためである。
・めっき液中での滞留時間：７．２秒
・搬送速度：２．５ｍ／分
・絶縁性容器：ガラスビーカー【０１００】
（実施例１：固定セル方式めっき装置）
図２〜図４に示す構造の絶縁性容器を以下の仕様で作製した。
・導電性媒体：３μｍ程度の厚みのピロリン酸銅めっき被膜を表面に有する鉄球、直径４．５ｍｍ、４５０個、積層数＝６個
・絶縁性容器：アクリル樹脂製
・傾斜角度：９°
・開口１１６：開口率５４％、直径２ｍｍの円形状の穴、千鳥状に配列
・隙間Ｃ１、Ｃ２：２ｍｍ
・幅Ｗ2：１０ｍｍ【０１０１】
上記の絶縁性容器を用いて図１０に示す電気めっき装置を構築し、搬送中のファスナーチェーンに対して電気めっきを連続的に行った。
めっき試験条件は以下である。
・ファスナーチェーンの仕様：ＹＫＫ（株）製型式５ＲＧチェーン（チェーン幅：５．７５ｍｍ、エレメント素材：丹銅）
・めっき液：１２０Ｌ、組成：黒色Ｓｎ−Ｃｏ合金めっき用めっき液
・電流密度：８．７Ａ／ｄｍ2
めっき厚＝析出速度×電流密度×めっき時間であり、析出速度はめっき液毎の定数であることから、めっき時間（分）、析出速度（μｍ／（（Ａ／ｄｍ2）×分））及びめっき厚（μｍ）から電流密度（Ａ／ｄｍ2）を求めた。なお、めっき厚は複数箇所の断面観察による実測値の平均値であり、めっき時間は各エレメントが３つの絶縁性容器を通過するのに要する時間（片面毎のめっき時間）である。
・めっき時間：１４．４秒
・搬送速度：２．５ｍ／分
・各エレメントと陽極の間の最短距離：３ｃｍ【０１０２】
（実施例２：固定セル方式めっき装置）
めっき試験条件を以下とした他は実施例１と同様の方法で搬送中のファスナーチェーンに対して電気めっきを連続的に行った。
・ファスナーチェーンの仕様：ＹＫＫ（株）製型式５ＲＧチェーン（チェーン幅：５．７５ｍｍ、エレメント素材：丹銅）
・めっき液：１２０Ｌ、組成：ピロリン酸銅めっき用めっき液
・電流密度：１３．５Ａ／ｄｍ2
めっき厚＝析出速度×電流密度×めっき時間であり、析出速度はめっき液毎の定数であることから、めっき時間（分）、析出速度（μｍ／（（Ａ／ｄｍ2）×分））及びめっき厚（μｍ）から電流密度（Ａ／ｄｍ2）を求めた。なお、めっき厚は複数箇所の断面観察による実測値の平均値であり、めっき時間は各エレメントが３つの絶縁性容器を通過するのに要する時間（片面毎のめっき時間）である。
・めっき時間：３０．０秒
・搬送速度：１．２ｍ／分
・各エレメントと陽極の間の最短距離：３ｃｍ【０１０３】
（実施例３：固定セル方式めっき装置）
めっき試験条件を以下とした他は実施例１と同様の方法で搬送中のファスナーチェーンに対して電気めっきを連続的に行った。
・ファスナーチェーンの仕様：ＹＫＫ（株）製型式５ＲＧチェーン（チェーン幅：５．７５ｍｍ、エレメント素材：丹銅）
・めっき液：１２０Ｌ、組成：硫酸銅めっき用めっき液
・電流密度：２５．０Ａ／ｄｍ2
めっき厚＝析出速度×電流密度×めっき時間であり、析出速度はめっき液毎の定数であることから、めっき時間（分）、析出速度（μｍ／（（Ａ／ｄｍ2）×分））及びめっき厚（μｍ）から電流密度（Ａ／ｄｍ2）を求めた。なお、めっき厚は複数箇所の断面観察による実測値の平均値であり、めっき時間は各エレメントが３つの絶縁性容器を通過するのに要する時間（片面毎のめっき時間）である。
・めっき時間：３６．０秒
・搬送速度：１．０ｍ／分
・各エレメントと陽極の間の最短距離：３ｃｍ【０１０４】
（実施例４：固定セル方式めっき装置）
めっき試験条件を以下とした他は実施例１と同様の方法で搬送中のファスナーチェーンに対して電気めっきを連続的に行った。
・ファスナーチェーンの仕様：ＹＫＫ（株）製型式５ＲＧチェーン（チェーン幅：５．７５ｍｍ、エレメント素材：丹銅）
・めっき液：１２０Ｌ、組成：ノンシアンＣｕ−Ｓｎ合金めっき用めっき液
・電流密度：４．０Ａ／ｄｍ2
めっき厚＝析出速度×電流密度×めっき時間であり、析出速度はめっき液毎の定数であることから、めっき時間（分）、析出速度（μｍ／（（Ａ／ｄｍ2）×分））及びめっき厚（μｍ）から電流密度（Ａ／ｄｍ2）を求めた。なお、めっき厚は複数箇所の断面観察による実測値の平均値であり、めっき時間は各エレメントが３つの絶縁性容器を通過するのに要する時間（片面毎のめっき時間）である。
・めっき時間：１４．４秒
・搬送速度：２．５ｍ／分
・各エレメントと陽極の間の最短距離：３ｃｍ【０１０５】
（めっき均一性）
比較例１、実施例１〜４について、得られたファスナーチェーンのエレメントのめっき被膜を目視により観察したときの評価結果を以下に示す。
評価は以下の手順により行った。各エレメントについて表裏の両方にめっきが付着しているか否かを調査する。各エレメントにめっきが付着しているかどうかの評価は目視によりエレメント表面が全体的に黒色（実施例１）、銅色（実施例２）、銅色（実施例３）又は、銀色（実施例４）にそれぞれ変化しているか否かで行う。表裏の両方の面にめっきが付着しているときのみ、当該エレメントにめっきが付着していると判断する。当該調査を隣接し合うエレメント２００個について行い、表裏にめっきが付着しているエレメントの個数割合（％）を算出する。結果を表１に示す。結果は同様のめっき試験を複数回行ったときの平均値で示した。【０１０６】
【表１】
0006670951.tif 000003
【０１０７】
＜考察＞
本発明の実施例に係るめっき装置を使用することにより、各エレメントに対して高い均一性でめっき被膜を形成可能であった。また、給電用鉄球は陽極と離れており、かつ樹脂容器で囲まれているので鉄球にはほとんどめっきが付かなかった。【０１０８】
（実施例５．陰極からの距離とめっき最大距離の関係）
図２〜図４に示す構造の絶縁性容器を以下の仕様で作製した。陰極は、ファスナーチェーンの通過方向の先頭側の内側面のみに設けた。
・導電性媒体：３μｍ程度の厚みのピロリン酸銅めっき被膜を表面に有する鉄球、直径４．５ｍｍ、４５０個、積層数＝６個
・絶縁性容器：アクリル樹脂製
・絶縁性容器のファスナーチェーン搬送方向の長さ：２０ｃｍ
・傾斜角度：９°
・開口１１６：開口率５４％、直径２ｍｍの円形状の穴、千鳥状に配列
・隙間Ｃ１、Ｃ２：２ｍｍ
・幅Ｗ2：１０ｍｍ【０１０９】
めっき試験条件は以下である。
・ファスナーチェーンの仕様：ＹＫＫ（株）製型式５ＲＧチェーン（チェーン幅：５．７５ｍｍ、エレメント素材：丹銅）
・めっき液：１２０Ｌ、組成：ニッケルめっき用めっき液
・ファスナーチェーンの搬送を停止し、絶縁性容器内のファスナーチェーンを左右に揺動しながら、陰極に２Ａの電流を１０秒間流した。【０１１０】
めっき試験後、目視によりめっきの付着が確認されたエレメントのうち、陰極から最も遠いエレメントまでの距離を測定したところ、１２ｃｍであった。次いで、陰極における電流値及びめっき時間を、表２に記載の条件に変化させた他は同一の試験条件として、目視によりめっきの付着が確認されたエレメントのうち、陰極から最も遠いエレメントまでの距離をそれぞれ測定した。結果を表２に示す。【０１１１】
また、Ｄ0＝２Ａ、Ｉ0＝１２ｃｍを基準にして、以下の実験式に基づき、陰極における電流（Ｉ1）を１．５Ａ、１．０Ａ、０．５Ａと変化させたときの、エレメントがめっきされる最大距離（Ｄ1）を求めた。結果を表２に示す。実験結果は実験式から求めた最大距離によく一致していることが分かる。【０１１２】
【数２】
0006670951.tif 000004
【０１１３】
【表２】
0006670951.tif 000005
【０１１４】
（実施例６．陰極を複数設置することによるめっき効率の向上）
ファスナーチェーンの通過方向の先頭側の内側面（地点Ａ）、ファスナーチェーンの通過方向に平行な内側面であって、ファスナーチェーンの通過方向の先頭側の内側面から７ｃｍ離れた箇所（地点Ｂ）及び１４ｃｍ離れた箇所（地点Ｃ）の計３か所に陰極を設けた他は、実施例５と同一の絶縁性容器を作製した。【０１１５】
めっき試験条件は以下である。
・ファスナーチェーンの仕様：ＹＫＫ（株）製型式５ＲＧチェーン（チェーン幅：５．７５ｍｍ、エレメント素材：丹銅）
・めっき液：１２０Ｌ、組成：ニッケルめっき用めっき液
・ファスナーチェーンの搬送を停止し、絶縁性容器内のファスナーチェーンを左右に揺動しながら、各陰極の電流値を表３に示す値に設定して表３に記載の時間めっきした。【０１１６】
【表３】
0006670951.tif 000006
【０１１７】
実施例５との対比から、陰極を複数設置することで、各陰極への電流値を抑制しながらも、めっき可能なエレメントの領域が増加することが理解できる。また、合計電流値が同じでも各陰極における最大電流値は半分以下になることから、陰極を一か所に設置する場合と比較して、２倍以上の合計電流値でめっき可能であることが理解できる。このことは、ファスナーチェーンの走行速度を２倍以上にしてもめっき可能であることを示唆している。
【符号の説明】
【０１１８】
１    ファスナーテープ
２    芯部
３    エレメント
４    上止具
５    下止具
６    スライダー
７    ファスナーチェーン
１１０    絶縁性容器
１１０ａ  第一の絶縁性容器
１１０ｂ  第二の絶縁性容器
１１１    導電性媒体
１１２    通路
１１２ａ  ファスナーチェーンの一方の主表面側と対向する側の路面
１１２ｂ  ファスナーチェーンの他方の主表面側と対向する側の路面
１１３    収容部
１１３ａ  収容部の搬送方向の先頭側の内側面
１１３ｂ  収容部の搬送方向と平行な内側面
１１３ｃ  収容部の搬送方向の後尾側の内側面
１１４    通路への入口
１１５    通路からの出口
１１６    開口
１１７    開口
１１８    陰極
１１９    陽極
１２０    ガイド溝
１２１    仕切り板
２０１    めっき槽
２０２    めっき液
２０３    貯留槽
２０４、２０６    めっき槽入口
２０５、２０７    めっき槽出口
２０８    循環ポンプ
２０９    ヒータ
２１０、２１４、２１６    戻りパイプ
２１２    送りパイプ
３１０ａ  第一の回転バレル（第一の絶縁性容器）
３１０ｂ  第二の回転バレル（第二の絶縁性容器）
３１１    導電性媒体
３１２    ガイド部材
３１３    回転軸
３１４ａ  第一の回転バレルの入口
３１５ａ  第一の回転バレルの出口
３１４ｂ  第二の回転バレルの入口
３１５ｂ  第二の回転バレルの出口
３１６    陽極
３１７    陰極
３１８    開口
３２１    仕切り板
４０１    めっき槽
４０２    めっき液
４０３    貯留槽
４０６    めっき槽入口
４０７    めっき槽出口
４０８    循環ポンプ
４０９    ヒータ
４１０    戻りパイプ
４１２    送りパイプ
【図１】
0006670951.tif 000007
【図２】
0006670951.tif 000008
【図３】
0006670951.tif 000009
【図４】
0006670951.tif 000010
【図５】
0006670951.tif 000011
【図６】
0006670951.tif 000012
【図７】
0006670951.tif 000013
【図８】
0006670951.tif 000014
【図９】
0006670951.tif 000015
【図１０】
0006670951.tif 000016
【図１１】
0006670951.tif 000017
【図１２】
0006670951.tif 000018
【図１３】
0006670951.tif 000019
【図１４】
0006670951.tif 000020
【図１５】
0006670951.tif 000021
【図１６】
0006670951.tif 000022
【図１７】
0006670951.tif 000023
【図１８】
0006670951.tif 000024